(57)【特許請求の範囲】
【請求項１】
セルラー方式の通信ネットワークの基地局へ接続するセルラー通信接続部及び前記基地局への接続状況を前記セルラー通信接続部に出力して、前記セルラー通信接続部から前記基地局へ送信するセルラー通信送信部を備える携帯機器と、
セルラー方式の通信を行う携帯機器を接続するセルラー通信構成部及び前記携帯機器の接続状況を前記セルラー通信構成部から取得して、前記携帯機器から前記セルラー通信構成部へ受信するセルラー通信受信部を備える基地局とを有し、
前記携帯機器に、短距離方式の通信ネットワークに接続する短距離通信部及び前記接続状況が、特定の基地局から圏外になった場合は、前記短距離通信部をＯＮに、前記特定の基地局と接続した場合は、前記短距離通信部をＯＦＦにする短距離通信制御部を備え、
前記基地局に、前記セルラー通信受信部から得た特定の携帯機器の状況を判断するセルラー通信判断部及び前記接続状況が、前記セルラー通信判断部によって前記特定の携帯機器が圏外と判断した場合は、前記セルラー通信構成部をＯＦＦに、前記セルラー通信判断部によって前記特定の携帯機器と接続したと判断した場合は、前記セルラー通信構成部をＯＮにするセルラー通信制御部を備えることを特徴とする携帯機器の監視システム。
【請求項２】
セルラー方式の通信ネットワークの基地局へ接続するセルラー通信接続部及び前記基地局への接続状況を前記セルラー通信接続部に出力して、前記セルラー通信接続部から前記基地局へ送信するセルラー通信送信部を備える携帯機器と、
セルラー方式の通信を行う携帯機器を接続するセルラー通信構成部及び前記携帯機器の接続状況を前記セルラー通信構成部から取得して、前記携帯機器から前記セルラー通信構成部へ受信するセルラー通信受信部を備える基地局とを有し、
前記携帯機器に、測位した位置を特定の基地局へ送信する測位部及び前記接続状況が、特定の基地局から圏外になった場合は、前記位置を測位する周期を長く設定し、前記特定の基地局と接続した場合は、前記位置を測位する周期を短く設定する周期制御部を備え、
前記基地局に、前記セルラー通信受信部から得た特定の携帯機器の位置の情報を一定の周期で受信する位置情報受信部及び前記接続状況が、前記位置情報受信部によって前記特定の携帯機器について圏外と判断された場合は、前記周期を長く設定し、前記位置情報受信部によって前記特定の携帯機器について接続したと判断された場合は、前記周期を短く設定するセルラー周期制御部を備えることを特徴とする携帯機器の監視システム。
【請求項３】
携帯機器で、セルラー方式の通信ネットワークの基地局へ接続するセルラー通信接続手順と、
前記基地局で、セルラー方式の通信を行う携帯機器を接続するセルラー通信構成手順と、
前記携帯機器で、前記基地局への接続状況を、前記基地局へ送信するセルラー通信送信手順と、
前記携帯機器で、前記接続状況が、特定の基地局から圏外になった場合、短距離方式の通信ネットワークに接続し、前記特定の基地局と接続した場合、短距離方式の通信ネットワークを切断する短距離通信制御手順と、
前記基地局で、前記携帯機器の接続状況を、前記携帯機器から受信するセルラー通信受信手順と、
前記基地局で、前記セルラー通信受信手順において得た特定の携帯機器の状況を判断するセルラー通信判断手順と、
前記接続状況が、前記セルラー通信判断手順において前記特定の携帯機器が圏外と判断された場合は前記特定の携帯機器を切断し、前記セルラー通信判断手順において前記特定の携帯機器と接続したと判断された場合は前記特定の携帯機器と接続するセルラー通信制御手順と、
を順に有する携帯機器の監視システムの制御方法。
【請求項４】
携帯機器で、セルラー方式の通信ネットワークの基地局へ接続するセルラー通信接続手順と、
前記基地局で、セルラー方式の通信を行う携帯機器を接続するセルラー通信構成手順と、
前記携帯機器で、前記基地局への接続状況を、前記基地局へ送信するセルラー通信送信手順と、
前記携帯機器で、前記接続状況が、特定の基地局から圏外になった場合は、位置を測位する周期を長く設定し、前記特定の基地局と接続した場合は、位置を測位する周期を短く設定する周期制御手順と、
前記基地局で、前記携帯機器の接続状況を、前記携帯機器から受信するセルラー通信受信手順と、
前記セルラー通信受信手順から得た特定の携帯機器の位置の情報を一定の周期で受信し、接続又は圏外を判断する位置情報受信手順と、
前記接続状況が、前記位置情報受信手順において前記特定の携帯機器について圏外と判断された場合は、前記周期を長く設定し、前記位置情報受信手順において前記特定の携帯機器について接続したと判断された場合は、前記周期を短く設定するセルラー周期制御手順と、
を順に有する携帯機器の監視システムの制御方法。
【請求項５】
セルラー方式の通信ネットワークの基地局へ接続するセルラー通信接続部と、
前記基地局への接続状況を前記セルラー通信接続部に出力して、前記セルラー通信接続部から前記基地局へ送信するセルラー通信送信部と、
短距離方式の通信ネットワークに接続する短距離通信部と、
前記接続状況が、特定の基地局から圏外になった場合は、前記短距離通信部をＯＮに、前記特定の基地局と接続した場合は、前記短距離通信部をＯＦＦにする短距離通信制御部と、
を備える携帯機器。
【請求項６】
セルラー方式の通信ネットワークの基地局へ接続するセルラー通信接続部と、
前記基地局への接続状況を前記セルラー通信接続部に出力して、前記セルラー通信接続部から前記基地局へ送信するセルラー通信送信部と、
測位した位置を特定の基地局へ送信する測位部と、
前記接続状況が、特定の基地局から圏外になった場合は、前記測位部が前記位置を測位する周期を長く設定し、前記特定の基地局と接続した場合は、前記測位部前記位置を測位する周期を短く設定する周期制御部と、
を備える携帯機器。
【請求項７】
セルラー方式の通信を行う携帯機器を接続するセルラー通信構成部と、
前記携帯機器の接続状況を前記セルラー通信構成部から取得して、前記携帯機器から前記セルラー通信構成部へ受信するセルラー通信受信部と、
前記セルラー通信受信部から得た特定の携帯機器の状況を判断するセルラー通信判断部と、
前記接続状況が、前記セルラー通信判断部によって前記特定の携帯機器が圏外と判断された場合は、前記セルラー通信構成部をＯＦＦに、前記セルラー通信判断部によって前記特定の携帯機器と接続したと判断された場合は、前記セルラー通信構成部をＯＮにするセルラー通信制御部と、
を備える基地局。
【請求項８】
セルラー方式の通信を行う携帯機器を接続するセルラー通信構成部と、
前記携帯機器の接続状況を前記セルラー通信構成部から取得して、前記携帯機器から前記セルラー通信構成部へ受信するセルラー通信受信部と、
前記セルラー通信受信部から得た特定の携帯機器の位置の情報を一定の周期で受信する位置情報受信部と、
前記接続状況が、前記位置情報受信部によって前記特定の携帯機器について圏外と判断された場合は、前記周期を長く設定し、前記位置情報受信部によって前記特定の携帯機器について接続したと判断された場合は、前記周期を短く設定するセルラー周期制御部と、
を備える基地局。
【請求項９】
セルラー方式の通信ネットワークの基地局へ接続するセルラー通信接続手順と、
前記基地局への接続状況を、前記基地局へ送信するセルラー通信送信手順と、
前記接続状況が、特定の基地局から圏外になった場合は、短距離方式の通信ネットワークに接続し、前記特定の基地局と接続した場合は、前記短距離方式の通信ネットワークを切断する短距離通信制御手順と、
を順に有する携帯機器の制御方法。
【請求項１０】
セルラー方式の通信ネットワークの基地局へ接続するセルラー通信接続手順と、
前記基地局への接続状況を、前記基地局へ送信するセルラー通信送信手順と、
前記接続状況が、特定の基地局から圏外になった場合は、位置を測位する周期を長く設定し、前記特定の基地局と接続した場合は、位置を測位する周期を短く設定する周期制御手順と、
を順に有する携帯機器の制御方法。
【請求項１１】
セルラー方式の通信を行う携帯機器を接続するセルラー通信構成手順と、
前記携帯機器の接続状況を、前記携帯機器から受信するセルラー通信受信手順と、
前記セルラー通信受信手順において得た特定の携帯機器の状況を判断するセルラー通信判断手順と、
前記接続状況が、前記セルラー通信判断手順において前記特定の携帯機器が圏外と判断された場合は前記携帯機器を切断し、前記セルラー通信判断手順において前記特定の携帯機器と接続したと判断された場合は前記携帯機器と接続するセルラー通信制御手順と、
を順に有する基地局の制御方法。
【請求項１２】
セルラー方式の通信を行う携帯機器を接続するセルラー通信構成手順と、
前記携帯機器の接続状況を、前記携帯機器から受信するセルラー通信受信手順と、
前記セルラー通信受信手順から得た特定の携帯機器の位置の情報を一定の周期で受信し、接続又は圏外を判断する位置情報受信手順と、
前記接続状況が、前記位置情報受信手順において前記特定の携帯機器について圏外と判断された場合は、前記周期を長く設定し、前記位置情報受信手順において前記特定の携帯機器について接続したと判断された場合は、前記周期を短く設定するセルラー周期制御手順と、
を順に有する基地局の制御方法。
【請求項１３】
セルラー方式の通信ネットワークの基地局へ接続するセルラー通信接続ステップと、
前記基地局への接続状況を、前記基地局へ送信するセルラー通信送信ステップと、
前記接続状況が、特定の基地局から圏外になった場合は、短距離方式の通信ネットワークに接続し、前記特定の基地局と接続した場合は、前記短距離方式の通信ネットワークを切断する短距離通信制御ステップと、
を順に携帯機器に実行させる携帯機器の制御プログラム。
【請求項１４】
セルラー方式の通信ネットワークの基地局へ接続するセルラー通信接続ステップと、
前記基地局への接続状況を、前記基地局へ送信するセルラー通信送信ステップと、
前記接続状況が、特定の基地局から圏外になった場合は、位置を測位する周期を長く設定し、前記特定の基地局と接続した場合は、位置を測位する周期を短く設定する周期制御ステップと、
を順に携帯機器に実行させる携帯機器の制御プログラム
【請求項１５】
セルラー方式の通信を行う携帯機器を接続するセルラー通信構成ステップと、
前記携帯機器の接続状況を、前記携帯機器から受信するセルラー通信受信ステップと、
前記セルラー通信受信ステップにおいて得た特定の携帯機器の状況を判断するセルラー通信判断ステップと、
前記接続状況が、前記セルラー通信判断ステップにおいて前記特定の携帯機器が圏外と判断された場合は前記携帯機器を切断し、前記セルラー通信判断ステップにおいて前記特定の携帯機器と接続したと判断された場合は前記携帯機器と接続するセルラー通信制御ステップと、
を順に基地局に実行させる基地局の制御プログラム。
【請求項１６】
セルラー方式の通信を行う携帯機器を接続するセルラー通信構成ステップと、
前記携帯機器の接続状況を、前記携帯機器から受信するセルラー通信受信ステップと、
前記セルラー通信受信ステップから得た特定の携帯機器の位置の情報を一定の周期で受信し、接続又は圏外を判断する位置情報受信ステップと、
前記接続状況が、前記位置情報受信ステップにおいて前記特定の携帯機器について圏外と判断された場合は、前記周期を長く設定し、前記位置情報受信ステップにおいて前記特定の携帯機器について接続したと判断された場合は、前記周期を短く設定するセルラー周期制御ステップと、
を順に基地局に実行させる基地局の制御プログラム。
【発明の詳細な説明】
【技術分野】
【０００１】
本発明は、携帯機器の監視システム、携帯機器の監視システムの制御方法、携帯機器、基地局、携帯機器の制御方法、基地局の制御方法、携帯機器の制御プログラム及び基地局の制御プログラムに関する。
【背景技術】
【０００２】
親が子供の安全について考慮する場合、現在の子供の置かれている状況、例えば同伴者の有無、現在位置といった情報を得ることが重要である。子供の状況を保護者が知り得る手段は能動的な方法、例えば実際に電話をかける、又はメールを送る等があるが、手間がかかる上に緊急時に間に合わない可能性がある。そこで、通信方式として、Ｂｌｕｅｔｏｏｔｈ（登録商標）又はＺｉｇＢｅｅ（登録商標）に代表される短距離方式を採用し、機器間でローカルネットワークを構築する。これらの機器間では、ローカルネットワークを構築する台数情報を共有し、機器を保有する児童が集団行動下にあるか否かを判断する。例えば、下校中に人数が減った場所をＧＰＳ（Ｇｌｏｂａｌ  Ｐｏｓｉｔｉｏｎｉｎｇ  Ｓｙｓｔｅｍ）で特定し、そこから帰宅するまでは定期的に行動をトレースし、随時保護者に通知する。この技術については、以下の文献に開示されている。
【先行技術文献】
【特許文献】
【０００３】
【特許文献１】特開２００７−１９３７１０号公報
【発明の概要】
【発明が解決しようとする課題】
【０００４】
上述した特許文献１に示した発明において、短距離方式を採用した通信機器では、通信機器の消費電力を少なくできるが、通信機器同士のネットワークの接続可能距離を超える距離でネットワークを構成することができず、通信機器の移動性に問題点があった。
【０００５】
そこで、本発明では、ネットワークの接続可能距離に応じて、携帯機器を所持する者の現在の状況を、登録した携帯機器に通知することができる携帯機器の監視システム、携帯機器の監視システムの制御方法、携帯機器、基地局、携帯機器の制御方法、基地局の制御方法、携帯機器の制御プログラム、及び基地局の制御プログラムを提供することを目的とする。
【課題を解決するための手段】
【０００６】
上記目的を達成するために、本発明に係る携帯機器の監視システムは、セルラー方式の通信ネットワークの基地局へ接続するセルラー通信接続部及び前記基地局への接続状況を前記セルラー通信接続部に出力して、前記セルラー通信接続部から前記基地局へ送信するセルラー通信送信部を備える携帯機器と、セルラー方式の通信を行う携帯機器を接続するセルラー通信構成部及び前記携帯機器の接続状況を前記セルラー通信構成部から取得して、前記携帯機器から前記セルラー通信構成部へ受信するセルラー通信受信部を備える基地局とを有し、さらに、前記携帯機器に、短距離方式の通信ネットワークに接続する短距離通信部及び前記接続状況が、特定の基地局から圏外になった場合は、前記短距離通信部をＯＮに、前記特定の基地局と接続した場合は、前記短距離通信部をＯＦＦにする短距離通信制御部を備え、前記基地局に、前記セルラー通信受信部から得た特定の携帯機器の状況を判断するセルラー通信判断部及び前記接続状況が、前記セルラー通信判断部によって前記特定の携帯機器が圏外と判断した場合は、前記セルラー通信構成部をＯＦＦに、前記セルラー通信判断部によって前記特定の携帯機器と接続したと判断した場合は、前記セルラー通信構成部をＯＮにするセルラー通信制御部を備える。
上記目的を達成するために、本発明に係る携帯機器の監視システムは、セルラー方式の通信ネットワークの基地局へ接続するセルラー通信接続部及び前記基地局への接続状況を前記セルラー通信接続部に出力して、前記セルラー通信接続部から前記基地局へ送信するセルラー通信送信部を備える携帯機器と、セルラー方式の通信を行う携帯機器を接続するセルラー通信構成部及び前記携帯機器の接続状況を前記セルラー通信構成部から取得して、前記携帯機器から前記セルラー通信構成部へ受信するセルラー通信受信部を備える基地局とを有し、さらに、前記携帯機器に、測位した位置を特定の基地局へ送信する測位部及び前記接続状況が、特定の基地局から圏外になった場合は、前記位置を測位する周期を長く設定し、前記特定の基地局と接続した場合は、前記位置を測位する周期を短く設定する周期制御部を備え、前記基地局に、前記セルラー通信受信部から得た特定の携帯機器の位置の情報を一定の周期で受信する位置情報受信部及び前記接続状況が、前記位置情報受信部によって前記特定の携帯機器について圏外と判断された場合は、前記周期を長く設定し、前記位置情報受信部によって前記特定の携帯機器について接続したと判断された場合は、前記周期を短く設定するセルラー周期制御部を備える。
【０００７】
上記目的を達成するために、本発明に係る携帯機器の監視システムの制御方法は、携帯機器で、セルラー方式の通信ネットワークの基地局へ接続するセルラー通信接続手順と、前記基地局で、セルラー方式の通信を行う携帯機器を接続するセルラー通信構成手順と、前記携帯機器で、前記基地局への接続状況を、前記基地局へ送信するセルラー通信送信手順と、前記携帯機器で、前記接続状況が、特定の基地局から圏外になった場合、短距離方式の通信ネットワークに接続し、前記特定の基地局と接続した場合、短距離方式の通信ネットワークを切断する短距離通信制御手順と、前記基地局で、前記携帯機器の接続状況を、前記携帯機器から受信するセルラー通信受信手順と、前記基地局で、さらに、前記セルラー通信受信手順において得た特定の携帯機器の状況を判断するセルラー通信判断手順と、前記接続状況が、前記セルラー通信判断手順において前記特定の携帯機器が圏外と判断された場合は前記特定の携帯機器を切断し、前記セルラー通信判断手順において前記特定の携帯機器と接続したと判断された場合は前記特定の携帯機器と接続するセルラー通信制御手順と、を順に有する。
上記目的を達成するために、本発明に係る携帯機器の監視システムの制御方法は、携帯機器で、セルラー方式の通信ネットワークの基地局へ接続するセルラー通信接続手順と、前記基地局で、セルラー方式の通信を行う携帯機器を接続するセルラー通信構成手順と、前記携帯機器で、前記基地局への接続状況を、前記基地局へ送信するセルラー通信送信手順と、前記携帯機器で、前記接続状況が、特定の基地局から圏外になった場合は、位置を測位する周期を長く設定し、前記特定の基地局と接続した場合は、位置を測位する周期を短く設定する周期制御手順と、前記基地局で、前記携帯機器の接続状況を、前記携帯機器から受信するセルラー通信受信手順と、前記セルラー通信受信手順から得た特定の携帯機器の位置の情報を一定の周期で受信し、接続又は圏外を判断する位置情報受信手順と、
前記接続状況が、前記位置情報受信手順において前記特定の携帯機器について圏外と判断された場合は、前記周期を長く設定し、前記位置情報受信手順において前記特定の携帯機器について接続したと判断された場合は、前記周期を短く設定するセルラー周期制御手順と、を順に有する。
【０００８】
上記目的を達成するために、本発明に係る携帯機器は、セルラー方式の通信ネットワークの基地局へ接続するセルラー通信接続部と、前記基地局への接続状況を前記セルラー通信接続部に出力して、前記セルラー通信接続部から前記基地局へ送信するセルラー通信送信部と、短距離方式の通信ネットワークに接続する短距離通信部と、前記接続状況が、特定の基地局から圏外になった場合は、前記短距離通信部をＯＮに、前記特定の基地局と接続した場合は、前記短距離通信部をＯＦＦにする短距離通信制御部と、を備える。
上記目的を達成するために、本発明に係る携帯機器は、セルラー方式の通信ネットワークの基地局へ接続するセルラー通信接続部と、前記基地局への接続状況を前記セルラー通信接続部に出力して、前記セルラー通信接続部から前記基地局へ送信するセルラー通信送信部と、測位した位置を特定の基地局へ送信する測位部と、前記接続状況が、特定の基地局から圏外になった場合は、前記測位部が前記位置を測位する周期を長く設定し、前記特定の基地局と接続した場合は、前記測位部前記位置を測位する周期を短く設定する周期制御部と、を備える。
【０００９】
上記目的を達成するために、本発明に係る基地局は、セルラー方式の通信を行う携帯機器を接続するセルラー通信構成部と、前記携帯機器の接続状況を前記セルラー通信構成部から取得して、前記携帯機器から前記セルラー通信構成部へ受信するセルラー通信受信部と、前記セルラー通信受信部から得た特定の携帯機器の状況を判断するセルラー通信判断部と、前記接続状況が、前記セルラー通信判断部によって前記特定の携帯機器が圏外と判断された場合は、前記セルラー通信構成部をＯＦＦに、前記セルラー通信判断部によって前記特定の携帯機器と接続したと判断された場合は、前記セルラー通信構成部をＯＮにするセルラー通信制御部と、を備える。
上記目的を達成するために、本発明に係る基地局は、セルラー方式の通信を行う携帯機器を接続するセルラー通信構成部と、前記携帯機器の接続状況を前記セルラー通信構成部から取得して、前記携帯機器から前記セルラー通信構成部へ受信するセルラー通信受信部と、前記セルラー通信受信部から得た特定の携帯機器の位置の情報を一定の周期で受信する位置情報受信部と、前記接続状況が、前記位置情報受信部によって前記特定の携帯機器について圏外と判断された場合は、前記周期を長く設定し、前記位置情報受信部によって前記特定の携帯機器について接続したと判断された場合は、前記周期を短く設定するセルラー周期制御部と、を備える。
【００１０】
上記目的を達成するために、本発明に係る携帯機器の制御方法は、セルラー方式の通信ネットワークの基地局へ接続するセルラー通信接続手順と、前記基地局への接続状況を、前記基地局へ送信するセルラー通信送信手順と、前記接続状況が、特定の基地局から圏外になった場合は、短距離方式の通信ネットワークに接続し、前記特定の基地局と接続した場合は、前記短距離方式の通信ネットワークを切断する短距離通信制御手順と、を順に有する。
上記目的を達成するために、本発明に係る携帯機器の制御方法は、セルラー方式の通信ネットワークの基地局へ接続するセルラー通信接続手順と、前記基地局への接続状況を、前記基地局へ送信するセルラー通信送信手順と、前記接続状況が、特定の基地局から圏外になった場合は、位置を測位する周期を長く設定し、前記特定の基地局と接続した場合は、位置を測位する周期を短く設定する周期制御手順と、を順に有する。
【００１１】
上記目的を達成するために、本発明に係る基地局の制御方法は、セルラー方式の通信を行う携帯機器を接続するセルラー通信構成手順と、前記携帯機器の接続状況を、前記携帯機器から受信するセルラー通信受信手順と、前記セルラー通信受信手順において得た特定の携帯機器の状況を判断するセルラー通信判断手順と、前記接続状況が、前記セルラー通信判断手順において前記特定の携帯機器が圏外と判断された場合は前記携帯機器を切断し、前記セルラー通信判断手順において前記特定の携帯機器と接続したと判断された場合は前記携帯機器と接続するセルラー通信制御手順と、を順に有する。
上記目的を達成するために、本発明に係る基地局の制御方法は、セルラー方式の通信を行う携帯機器を接続するセルラー通信構成手順と、前記携帯機器の接続状況を、前記携帯機器から受信するセルラー通信受信手順と、前記セルラー通信受信手順から得た特定の携帯機器の位置の情報を一定の周期で受信し、接続又は圏外を判断する位置情報受信手順と、前記接続状況が、前記位置情報受信手順において前記特定の携帯機器について圏外と判断された場合は、前記周期を長く設定し、前記位置情報受信手順において前記特定の携帯機器について接続したと判断された場合は、前記周期を短く設定するセルラー周期制御手順と、を順に有する。
【００１２】
上記目的を達成するために、本発明に係る携帯機器の制御プログラムは、セルラー方式の通信ネットワークの基地局へ接続するセルラー通信接続ステップと、前記基地局への接続状況を、前記基地局へ送信するセルラー通信送信ステップと、前記接続状況が、特定の基地局から圏外になった場合は、短距離方式の通信ネットワークに接続し、前記特定の基地局と接続した場合は、前記短距離方式の通信ネットワークを切断する短距離通信制御ステップと、を順に携帯機器に実行させる。
上記目的を達成するために、本発明に係る携帯機器の制御プログラムは、セルラー方式の通信ネットワークの基地局へ接続するセルラー通信接続ステップと、前記基地局への接続状況を、前記基地局へ送信するセルラー通信送信ステップと、前記接続状況が、特定の基地局から圏外になった場合は、位置を測位する周期を長く設定し、前記特定の基地局と接続した場合は、位置を測位する周期を短く設定する周期制御ステップと、を順に携帯機器に実行させる。
【００１３】
上記目的を達成するために、本発明に係る基地局の制御プログラムは、セルラー方式の通信を行う携帯機器を接続するセルラー通信構成ステップと、前記携帯機器の接続状況を、前記携帯機器から受信するセルラー通信受信ステップと、前記セルラー通信受信ステップにおいて得た特定の携帯機器の状況を判断するセルラー通信判断ステップと、前記接続状況が、前記セルラー通信判断ステップにおいて前記特定の携帯機器が圏外と判断された場合は前記携帯機器を切断し、前記セルラー通信判断ステップにおいて前記特定の携帯機器と接続したと判断された場合は前記携帯機器と接続するセルラー通信制御ステップと、を順に基地局に実行させる。
上記目的を達成するために、本発明に係る基地局の制御プログラムは、セルラー方式の通信を行う携帯機器を接続するセルラー通信構成ステップと、前記携帯機器の接続状況を、前記携帯機器から受信するセルラー通信受信ステップと、前記セルラー通信受信ステップから得た特定の携帯機器の位置の情報を一定の周期で受信し、接続又は圏外を判断する位置情報受信ステップと、前記接続状況が、前記位置情報受信ステップにおいて前記特定の携帯機器について圏外と判断された場合は、前記周期を長く設定し、前記位置情報受信ステップにおいて前記特定の携帯機器について接続したと判断された場合は、前記周期を短く設定するセルラー周期制御ステップと、を順に基地局に実行させる。
【発明の効果】
【００１４】
本発明によれば、ネットワークの接続可能距離に応じて、携帯機器を所持する者の現在の状況を、登録した携帯機器に通知することができる。
【図面の簡単な説明】
【００１５】
【図１】本発明の携帯機器の監視システムの構成を示すブロック図である。
【図２】本発明の携帯機器の監視システムの構成を示すブロック図である。
【図３】本発明の携帯機器の監視システムの構成を示すブロック図である。
【図４】本発明の携帯機器の監視システムの全体を示す概略図である。
【図５】本発明の携帯機器の監視システムの制御方法の手順を示すフローチャートである。
【図６】本発明の携帯機器の監視システムの制御方法の手順を示すフローチャートである。
【図７】本発明の携帯機器の監視システムの制御方法の手順を示すフローチャートである。
【図８】本発明の携帯機器の構成を示すブロック図である。
【図９】本発明の携帯機器の構成を示すブロック図である。
【図１０】本発明の携帯機器の構成を示すブロック図である。
【図１１】本発明の基地局の構成を示すブロック図である。
【図１２】本発明の基地局の構成を示すブロック図である。
【図１３】本発明の基地局の構成を示すブロック図である。
【図１４】本発明の携帯機器の制御方法の手順を示すフローチャートである。
【図１５】本発明の携帯機器の制御方法の手順を示すフローチャートである。
【図１６】本発明の携帯機器の制御方法の手順を示すフローチャートである。
【図１７】本発明の基地局の制御方法の手順を示すフローチャートである。
【図１８】本発明の基地局の制御方法の手順を示すフローチャートである。
【図１９】本発明の基地局の制御方法の手順を示すフローチャートである。
【図２０】本発明の携帯機器の制御プログラムのステップを示すフローチャートである。
【図２１】本発明の携帯機器の制御プログラムのステップを示すフローチャートである。
【図２２】本発明の携帯機器の制御プログラムのステップを示すフローチャートである。
【図２３】本発明の基地局の制御プログラムのステップを示すフローチャートである。
【図２４】本発明の基地局の制御プログラムのステップを示すフローチャートである。
【図２５】本発明の基地局の制御プログラムのステップを示すフローチャートである。
【発明を実施するための形態】
【００１６】
添付の図面を参照して本発明の実施形態を説明する。以下に説明する実施形態は本発明の実施の例であり、本発明は、以下の実施の例に制限されるものではない。なお、本明細書及び図面において符号が同じ構成要素は、相互に同一のものを示すものとする。
【００１７】
次に、図１を参照して、本発明の携帯機器の監視システムの実施形態を説明する。図１は、本発明の携帯機器の監視システムの構成の概略図である。図１に示すように、本発明の携帯機器の監視システムは、セルラー方式の通信ネットワークの基地局１０９−１へ接続するセルラー通信接続部１１−１及び基地局１０９−１への接続状況をセルラー通信接続部１１−１に出力して、セルラー通信接続部１１−１から基地局１０９−１へ送信するセルラー通信送信部１２−１を備える携帯機器１００−１と、セルラー方式の通信を行う携帯機器１００−１を接続するセルラー通信構成部２１−１及び携帯機器１００−１の接続状況をセルラー通信構成部２１−１から取得して、携帯機器１００−１からセルラー通信構成部２１−１へ受信するセルラー通信受信部２２−１を備える基地局１０９−１とを有する。セルラー通信接続部１１−１は、セルラー方式を採用する携帯機器１００−１に搭載され、セルラー方式でネットワークを構成する基地局１０９−１のセルラー通信構成部２１−１と接続することで、セルラー方式を採用する携帯機器１００−１間で通信可能とする。
【００１８】
セルラー方式とは、無線通信サービス提供地域を多数のＣｅｌｌ（細胞）状に分けて基地局を配置した無線通信方式の一つである。例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）（登録商標）やＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）である。接続可能なネットワークの範囲は広く、携帯機器１００−１の移動性を確保しつつ、ネットワークを構成することができる。しかし、接続可能なネットワークの範囲が広いため、個々の携帯機器１００−１の行動をトレースすることは困難である。セルラー通信構成部２１−１は、セルラー方式を採用する基地局１０９−１に搭載され、同じ通信方式を採用する携帯機器１００−１のセルラー通信接続部１１−１と接続することで、セルラー方式を採用する携帯機器１００−１のネットワークを構成することができる。セルラー通信送信部１２−１は、個々の携帯機器１００−１に搭載され、携帯機器１００−１がセルラー方式のネットワークに接続されているか否かを示す接続状況を、セルラー通信接続部１１−１へ出力する。接続状況は、セルラー通信接続部１１−１から基地局１０９−１のセルラー通信構成部２１−１へ送信される。セルラー通信構成部２１−１が取得した、携帯機器１００−１がセルラー方式のネットワークに接続されているか否かを示す接続状況を、セルラー通信受信部２２−１が受信する。
【００１９】
セルラー通信送信部１２−１から基地局１０９−１のセルラー通信受信部２２−１へ、現在の携帯機器１００−１の接続状況を送信することで、現在の携帯機器１００−１の状況が推測できる。例えば、学校内等に配置された小型基地局へ接続していることが分かれば、携帯機器１００−１の所持者の児童は学校内にいることが分かる。しかし、小型基地局へ接続していない場合は登下校中であると推測され、この場合は携帯機器１００−１に搭載された短距離方式のネットワークを参照することで、携帯機器１００−１の所持者の児童の居場所、状況を推測することができる。これらの接続状況は、セルラー方式の基地局１０９−１から、登録された携帯機器へと通知される。登録された携帯機器とは、例えば、登下校中の児童の保護者の携帯電話機である。
【００２０】
以上説明したように、ネットワークの接続可能距離に応じて、携帯機器１００−１を所持する者の現在の状況を、登録した携帯機器に通知することができる。
【００２１】
次に、図２を参照して、本発明の携帯機器の監視システムの実施形態を説明する。図２は、本発明の携帯機器の監視システムの構成の概略図である。図２に示すように、図１に説明した通りの構成に加えて、さらに、携帯機器１００−２に、短距離方式の通信ネットワークに接続する短距離通信部及び接続状況が、特定の基地局１０９−２から圏外になった場合は、短距離通信部１３−１をＯＮに、特定の基地局１０９−２と接続した場合は、短距離通信部１３−１をＯＦＦにする短距離通信制御部１４−１を備えてもよい。また、基地局１０９−２に、セルラー通信受信部から得た特定の携帯機器１００−２の状況を判断するセルラー通信判断部２３−１及び接続状況が、セルラー通信判断部２３−１によって特定の携帯機器１００−２が圏外と判断した場合は、セルラー通信構成部２１−２をＯＦＦに、セルラー通信判断部２３−１によって特定の携帯機器１００−２と接続したと判断した場合は、セルラー通信構成部２１−２をＯＮにするセルラー通信制御部２４−１を備えてもよい。
【００２２】
短距離方式とは、例えば、Ｂｌｕｅｔｏｏｔｈ（登録商標）、又はＺｉｇＢｅｅ（登録商標）である。Ｂｌｕｅｔｏｏｔｈとは、機器間の距離が１０〜１００ｍ以内であれば、最大２４Ｍｂｐｓの速度で通信を行うことができる短距離方式の一つである。ＺｉｇＢｅｅとは、機器間の距離が３０ｍ以内であれば、最大２５０ｋｂｐｓの速度で通信を行うことができる短距離方式の一つである。Ｂｌｕｅｔｏｏｔｈより機器間の距離が短く、転送速度は遅いが、省電力で低コストという利点がある。また、一つのネットワークに最大で２５５台の機器を接続できる。このため、近距離に位置する携帯機器１００−２同士を繋いだ短距離方式のネットワークを構成することができ、消費電力が少ないため、個々の携帯機器１００−２を常時トレースすることも可能である。
【００２３】
短距離通信部１３−１は、携帯機器１００−２に搭載され、短距離方式の無線通信を行う。同じく短距離通信部を搭載する、近くに位置する別の携帯機器１００−２と接続し、短距離方式のネットワークを構成する。短距離通信制御部１４−１は、短距離通信部１３−１をＯＮ又はＯＦＦにする。常時短距離方式のネットワークに接続している必要がない場合にはＯＦＦとして、セルラー方式と、短距離方式と、二つのネットワークに重複して接続することによる情報の混乱を防ぐことができる。セルラー通信判断部２３−１は、基地局１０９−２に搭載され、特定の携帯機器１００−２の接続状況について、セルラー方式を採用する特定の基地局１０９−２に携帯機器１００−２が接続されているか否かを判断する。セルラー通信制御部２４−１は、セルラー通信構成部２１−２をＯＮ又はＯＦＦにする。すなわち、セルラー方式のネットワークを切断する。常時セルラー方式のネットワークを構成している必要がない場合にはＯＦＦとして、携帯機器１００−２が、セルラー方式と、短距離方式と、二つのネットワークに重複して接続することによる情報の混乱を防ぐことができる。
【００２４】
例えば、学校内に設置されたセルラー方式の小型基地局から圏外となった携帯機器１００−２の場合は、携帯機器１００−２の所持者である児童が、登下校中であると推測できるため、短距離通信制御部１４−１は、短距離通信部１３−１をＯＮとし、セルラー通信制御部２４−１は、セルラー通信構成部２１−２をＯＦＦとする。逆に、学校内に設置されたセルラー方式の小型基地局に接続されている携帯機器１００−２の場合は、携帯機器１００−２の所持者である児童が、学校内にいると推測できるため、短距離通信制御部１４−１は、短距離通信部１３−１をＯＦＦとし、セルラー通信制御部２４−１は、セルラー通信構成部２１−２をＯＮとする。これらの接続状況は、セルラー方式の基地局１０９−２から、登録された携帯機器へと通知される。登録された携帯機器とは、例えば、登下校中の児童の保護者の携帯電話機である。
【００２５】
以上説明したように、セルラー方式のネットワークと、短距離方式のネットワークとを、携帯機器１００−２の状況に応じて切り替えることで、二つのネットワークに重複して接続することによる情報の混乱を防ぐことができる。よって、ネットワークの接続可能距離に応じて、携帯機器１００−２を所持する者の現在の状況を、登録した携帯機器に通知することができる。
【００２６】
次に、図３を参照して、本発明の携帯機器の監視システムの実施形態を説明する。図３は、本発明の携帯機器の監視システムの構成の概略図である。図３に示すように、図１に説明した通りの構成に加えて、さらに、携帯機器１００−３に、測位した位置の情報を特定の基地局１０９−３へ送信する測位部１５−１及び接続状況が、特定の基地局１０９−３から圏外になった場合は、位置を測位する周期を長く設定し、特定の基地局１０９−３と接続した場合は、位置を測位する周期を短く設定する周期制御部１６−１を備えてもよい。基地局１０９−３に、セルラー通信受信部２２−３から得た特定の携帯機器１００−３の位置の情報を一定の周期で受信する位置情報受信部２５−１及び接続状況が、位置情報受信部２５−１によって特定の携帯機器１００−３について圏外と判断された場合は、周期を長く設定し、位置情報受信部２５−１によって特定の携帯機器１００−３について接続したと判断された場合は、周期を短く設定するセルラー周期制御部２６−１を備えてもよい。測位部１５−１は、携帯機器１００−３に搭載され、まず、携帯機器１００−３の現在位置を測位する。例えばＧＰＳ（Ｇｌｏｂａｌ  Ｐｏｓｉｔｉｏｎｉｎｇ  Ｓｙｓｔｅｍ）の受信機である。そして、測位した位置の情報を、セルラー通信接続部１１−３に出力する。セルラー通信接続部１１−３は、特定の基地局１０９−３のセルラー通信構成部２１−３へ、位置の情報を送信する。周期制御部１６−１は、携帯機器１００−３に搭載され、測位部１５−１が、現在位置を測位する周期を制御する。位置情報受信部２５−１は、基地局１０９−３に搭載され、携帯機器１００−３から送信された携帯機器１００−３の現在の位置の情報を取得する。そして、受信した位置の情報から、携帯機器１００−３の現在位置を把握する。セルラー周期制御部２６−１は、位置情報受信部２５−１が位置の情報を取得する周期を制御する。
【００２７】
ここで、携帯機器１００−３の現在の位置の情報と、すでに送信されている携帯機器１００−３のセルラー方式のネットワークへの接続状況とを併せて参照することで、携帯機器１００−３の所持者である児童の状況を推測することができる。例えば、学校内に設置されたセルラー方式の小型基地局から圏外となった携帯機器１００−３の場合は、携帯機器１００−３の所持者である児童が、登下校中であると推測できる。そして、現在位置を位置の情報で確認することで、学校と自宅との間のどの位置に携帯機器１００−３の所持者である児童がいるのか推測することができる。ここで、周期制御部１６−１は、携帯機器１００−３の現在位置が、学校又は自宅から遠い場合、安全性は低いため、測位部１５−１が位置を測位する周期を速く設定し、セルラー周期制御部２６−１は、位置情報受信部２５−１が位置の情報を取得する周期を速く設定する。逆に、周期制御部１６−１は、携帯機器１００−３の現在位置が、学校又は自宅から近い場合、安全性は高いため、測位部１５−１が位置を測位する周期を遅く設定し、セルラー周期制御部２６−１は、位置情報受信部２５−１が位置の情報を取得する周期を遅く設定する。なお、測位部１５−１及びセルラー周期制御部２６−１の周期を最短にして携帯機器１００−３をトレースすることも可能だが、消費電力の大きさから現実的ではない。これらの状況は、セルラー方式の基地局１０９−３から、登録された携帯機器へと通知される。登録された携帯機器とは、例えば、登下校中の児童の保護者の携帯電話機である。
【００２８】
以上説明したように、携帯機器１００−３の位置を測位する周期を制御することで、安全性に配慮した位置の情報の提供と、省電力を両立することができる。よって、ネットワークの接続可能距離に応じて、携帯機器１００−３を所持する者の現在の状況を、登録した携帯機器に通知することができる。
【００２９】
なお、周期制御部１６−１及びセルラー周期制御部２６−１は、周期の繰り返し回数が一定回数を越えると、登録された携帯機器に繰り返し回数が一定回数を超えたことを通知してもよい。携帯機器１００−３の所持者である児童が一定時間内に学校又は自宅に到着しない事態を早急に知ることができる。
【００３０】
次に、図４を参照して、本発明の携帯機器の監視システムの実施形態を説明する。図４は、本発明の携帯機器の監視システムの全体構成の概略図である。図４に示すように、携帯機器１００−４に備えられた短距離通信部１３−２は、他の携帯機器１１０の短距離通信部へと接続され、短距離方式のネットワーク１０３を構成する。同じく携帯機器１００−４にセルラー通信接続部１１−４及び登録された携帯機器１０１は、基地局１０９−４に接続され、セルラー方式のネットワーク１０４を構成する。短距離方式のネットワーク１０３は、短距離通信部１３−２及び他の携帯端末１１０に搭載された短距離通信部同士が接続することで、格子状に構成される。セルラー方式のネットワーク１０４は、コアネットワーク１０８を中心に、基地局１０９−４及び携帯機器１００−４のセルラー通信接続部１１−４が接続されることで構成されている。また、携帯機器１００−４にはＧＰＳ受信部１５−２が備えられてもよく、ＧＰＳ受信部１５−２はＧＰＳ衛星１０２との情報の送受信によって現在位置を測位する。
【００３１】
本発明において、携帯機器１００−４は移動することで短距離方式のネットワーク１０３と、セルラー方式のネットワーク１０４との間で、圏外と接続とを繰り返す。携帯機器１００−４が、セルラー方式のネットワーク１０４に接続されているか否かによって、短距離方式のネットワーク１０３と接続をＯＮ又はＯＦＦする。よって、両方のネットワークに携帯機器１００−４が存在することによる情報の混乱を防ぐことができる。また、ＧＰＳ受信部１５−２を備えることで携帯機器１００−４の現在位置を測位することができるので、セルラー方式のネットワーク１０４に接続された登録された携帯機器１０１へ位置を通知することもできる。この際、セルラー方式のネットワーク１０４に携帯機器１００−４が接続されているか否かの情報を併せて参照することで、携帯機器１００−４の現在の状況を推測できる。このため、携帯機器１００−４の現在位置によっては、ＧＰＳ受信部１５−２が現在位置を測位する周期を変化させて、効率的に消費電力を管理することができる。
【００３２】
次に、図５を参照して、本発明の携帯機器の監視システムの制御方法の実施形態を説明する。図５は、本発明の携帯機器の監視システムの制御方法を示すフローチャートである。図５に示すように、まず、セルラー通信接続手順Ｐ１１−１において、携帯機器で、セルラー方式の通信ネットワークの基地局へ接続する。次に、セルラー通信構成手順Ｐ２１−１において、基地局で、セルラー方式の通信を行う携帯機器を接続する。そして、セルラー通信送信手順Ｐ１２−１において、携帯機器で、基地局への接続状況を、基地局へ送信する。さらに、セルラー通信受信手順Ｐ２２−１において、基地局で、携帯機器の接続状況を、携帯機器から受信する。セルラー通信接続手順Ｐ１１−１において、携帯機器は、セルラー方式でネットワークを構成する基地局へと接続し、セルラー通信構成手順Ｐ２１−１において、基地局は、携帯機器とセルラー方式で接続することで、セルラー方式を採用する携帯機器間で通信可能とする。セルラー通信送信手順Ｐ１２−１において、携帯機器がセルラー方式のネットワークに接続されているか否かを示す接続状況を送信し、セルラー通信受信手順Ｐ２２−１において、基地局が接続状況を受信する。
【００３３】
セルラー通信送信手順Ｐ１２−１において、現在の携帯機器の接続状況を送信し、セルラー通信受信手順Ｐ２２−１で、現在の携帯機器の接続状況を受信することで、現在の携帯機器の状況が推測できる。例えば、学校内等に配置された小型基地局へ接続していることが分かれば、携帯機器の所持者の児童は学校内にいることが分かる。しかし、小型基地局へ接続していない場合は登下校中であると推測され、この場合は携帯機器に搭載された短距離方式のネットワークを参照することで、携帯機器の所持者の児童の居場所、状況を推測することができる。これらの接続状況は、セルラー方式の基地局から、登録された携帯機器へと通知される。登録された携帯機器とは、例えば、登下校中の児童の保護者の携帯電話機である。
【００３４】
以上説明したように、ネットワークの接続可能距離に応じて、携帯機器を所持する者の現在の状況を、登録した携帯機器に通知することができる。
【００３５】
次に、図６を参照して、本発明の携帯機器の監視システムの制御方法の実施形態を説明する。図６は、本発明の携帯機器の監視システムの制御方法を示すフローチャートである。図６に示すように、図５に説明した通りの手順に加えて、さらに、セルラー通信送信手順Ｐ１２−２の後に、短距離通信制御手順Ｐ１４−１において、携帯機器で、接続状況が、特定の基地局から圏外になった場合、短距離方式の通信ネットワークに接続し、特定の基地局と接続した場合、短距離方式の通信ネットワークを切断してもよい。また、図５に示した手順に加えて、さらに、セルラー通信受信手順Ｐ２２−２の後に、セルラー通信判断手順Ｐ２３−１において、基地局で、セルラー通信受信手順Ｐ２２−２において得た特定の携帯機器の状況を判断すると、セルラー通信制御手順Ｐ２４−１において、接続状況が、セルラー通信判断手順Ｐ２３−１において特定の携帯機器が圏外と判断された場合は、セルラー通信構成手順Ｐ２１−２において特定の携帯機器を切断してもよい。そして、セルラー通信判断手順Ｐ２３−１において特定の携帯機器と接続したと判断された場合は、セルラー通信構成手順Ｐ２１−２において、特定の携帯機器と接続してもよい。
【００３６】
短距離通信制御手順Ｐ１４−１において、常時短距離方式のネットワークに接続している必要がない場合にはＯＦＦとする。また、セルラー通信判断手順Ｐ２３−１において、特定の携帯機器の接続状況について、セルラー方式を採用する特定の基地局に携帯機器が接続されているか否かを判断する。セルラー通信制御手順Ｐ２４−１において、セルラー通信構成手順Ｐ２１−２において携帯機器を接続していたネットワークをＯＮ又はＯＦＦにする。すなわち、セルラー方式のネットワークを切断する。常時セルラー方式のネットワークを構成している必要がない場合にはＯＦＦとする。
【００３７】
例えば、学校内に設置されたセルラー方式の小型基地局から圏外となった携帯機器の場合は、携帯機器の所持者である児童が、登下校中であると推測できるため、短距離通信制御手順Ｐ１４−１において、短距離通信をＯＮとし、セルラー通信制御手順Ｐ２４−１において、セルラー通信をＯＦＦとする。逆に、学校内に設置されたセルラー方式の小型基地局に接続されている携帯機器の場合は、携帯機器の所持者である児童が、学校内にいると推測できるため、短距離通信制御手順Ｐ１４−１において、短距離通信をＯＦＦとし、セルラー通信制御手順Ｐ２４−１は、セルラー通信をＯＮとする。これらの接続状況は、セルラー方式の基地局から、登録された携帯機器へと通知される。登録された携帯機器とは、例えば、登下校中の児童の保護者の携帯電話機である。
【００３８】
以上説明したように、セルラー方式のネットワークと、短距離方式のネットワークとを、携帯機器の状況に応じて切り替えることで、二つのネットワークに重複して接続することによる情報の混乱を防ぐことができる。よって、ネットワークの接続可能距離に応じて、携帯機器を所持する者の現在の状況を、登録した携帯機器に通知することができる。
【００３９】
次に、図７を参照して、本発明の携帯機器の監視システムの制御方法の実施形態を説明する。図７は、本発明の携帯機器の監視システムの制御方法を示すフローチャートである。図７に示すように、図５に説明した通りの手順に加えて、さらに、セルラー通信送信手順Ｐ１２−３の後に、周期制御手順Ｐ１６−１において、接続状況が、特定の基地局から圏外になった場合は、位置を測位する周期を長く設定してもよい。そして、特定の基地局と接続した場合は、位置を測位する周期を短く設定してもよい。セルラー通信受信手順Ｐ２２−３の後に、位置情報受信手順Ｐ２５−１において、セルラー通信受信手順Ｐ２２−３において得た特定の携帯機器の位置の情報を一定の周期で受信し、接続又は圏外を判断してもよい。そして、セルラー周期制御手順Ｐ２６−１において、接続状況が、位置情報受信手順Ｐ２５−１において特定の携帯機器について圏外と判断された場合は、周期を長く設定してもよい。そして、位置情報受信手順において特定の携帯機器について接続したと判断された場合は、周期を短く設定してもよい。
【００４０】
ここで、携帯機器の現在の位置の情報と、すでに送信されている携帯機器のセルラー方式のネットワークへの接続状況とを併せて参照することで、携帯機器の所持者である児童の状況を推測することができる。例えば、学校内に設置されたセルラー方式の小型基地局から圏外となった携帯機器の場合は、携帯機器の所持者である児童が、登下校中であると推測できる。そして、現在位置を位置の情報で確認することで、学校と自宅との間のどの位置に携帯機器の所持者である児童がいるのか推測することができる。ここで、周期制御手順Ｐ１６−１において、携帯機器の現在位置が、学校又は自宅から遠い場合、安全性は低いため、現在位置を測位する周期を速く設定し、セルラー周期制御手順Ｐ２６−１において、位置の情報を取得する周期を速く設定する。逆に、周期制御手順Ｐ１６−１において、携帯機器の現在位置が、学校又は自宅から近い場合、安全性は高いため、現在位置を測位する周期を遅く設定し、セルラー周期制御手順Ｐ２６−１において、位置の情報を取得する周期を遅く設定する。なお、現在位置の測位及び位置の情報の取得の周期を最短にして携帯機器をトレースすることも可能だが、消費電力の大きさから現実的ではない。これらの状況は、セルラー方式の基地局から、登録された携帯機器へと通知される。登録された携帯機器とは、例えば、登下校中の児童の保護者の携帯電話機である。
【００４１】
以上説明したように、携帯機器の位置を測位する周期を制御することで、安全性に配慮した位置の情報の提供と、省電力を両立することができる。よって、ネットワークの接続可能距離に応じて、携帯機器を所持する者の現在の状況を、登録した携帯機器に通知することができる。
【００４２】
なお、周期制御手順Ｐ１６−１及びセルラー周期制御手順Ｐ２６−１において、周期の繰り返し回数が一定回数を越えると、登録された携帯機器に繰り返し回数が一定回数を超えたことを通知してもよい。携帯機器の所持者である児童が一定時間内に学校又は自宅に到着しない事態を早急に知ることができる。
【００４３】
まず、図８を参照して、本発明の携帯機器の実施形態を説明する。図８は、本発明の携帯機器の構成の概略図である。図８に示すように、本発明の携帯機器は、セルラー方式の通信ネットワークの基地局へ接続するセルラー通信接続部１１−５と、基地局への接続状況をセルラー通信接続部１１−５に出力して、セルラー通信接続部１１−５から基地局へ送信するセルラー通信送信部１２−４とを備える。セルラー通信接続部１１−５は、通信方式としてセルラー方式を採用する携帯機器１００−５に搭載され、携帯機器１００−５と、セルラー方式でネットワークを構成する基地局とを接続することで、セルラー方式を採用する携帯機器１００−５間で通信可能とする。セルラー通信送信部１２−４は、個々の携帯機器１００−５に搭載され、携帯機器１００−５がセルラー方式のネットワークに接続されているか否かを示す接続状況を、セルラー通信接続部１１−５へ出力する。接続状況は、セルラー通信接続部１１−５から基地局へ送信される。セルラー通信接続部１１−５から基地局へ、現在の携帯機器１００−５の接続状況を送信することで、現在の携帯機器１００−５の状況が推測できる。例えば、学校内等に配置された小型基地局へ接続していることが分かれば、携帯機器１００−５の所持者の児童は学校内にいることが分かる。しかし、小型基地局へ接続していない場合は登下校中であると推測され、この場合は携帯機器１００−５に搭載された短距離方式のネットワークを参照することで、携帯機器１００−５の所持者の児童の居場所、状況を推測することができる。これらの接続状況は、セルラー方式の基地局から、登録された携帯機器へと通知される。登録された携帯機器とは、例えば、登下校中の児童の保護者の携帯電話機である。
【００４４】
以上説明したように、ネットワークの接続可能距離に応じて、携帯機器１００−５を所持する者の現在の状況を、登録した携帯機器に通知することができる。
【００４５】
次に、図９を参照して、本発明の携帯機器の実施形態を説明する。図９は、本発明の携帯機器の構成の概略図である。図９に示すように、図８に説明した通りの構成に加えて、さらに、短距離方式の通信ネットワークに接続する短距離通信部１３−３と、接続状況が、特定の基地局から圏外になった場合は、短距離通信部をＯＮに、特定の基地局と接続した場合は、短距離通信部をＯＦＦにする短距離通信制御部１４−２とを備えてもよい。短距離通信部１３−３は、携帯機器１００−６に搭載され、短距離方式の無線通信を行う。同じく短距離通信部を搭載する、近くに位置する別の携帯機器と接続し、短距離方式のネットワークを構成する。短距離通信制御部１４−２は、短距離通信部１３−３をＯＮ又はＯＦＦにする。常時短距離方式のネットワークに接続している必要がない場合にはＯＦＦとして、セルラー方式及び短距離方式の、二つのネットワークに重複して接続することによる情報の混乱を防ぐことができる。例えば、学校内に設置されたセルラー方式の小型基地局から圏外となった携帯機器１００−６の場合は、携帯機器１００−６の所持者である児童が、登下校中であると推測できるため、短距離通信制御部１４−２は、短距離通信部１３−３をＯＮとする。逆に、学校内に設置されたセルラー方式の小型基地局に接続されている携帯機器１００−６の場合は、携帯機器１００−６の所持者である児童が、学校内にいると推測できるため、短距離通信制御部１４−２は、短距離通信部１３−３をＯＦＦとする。これらの接続状況は、セルラー方式の基地局から、登録された携帯機器へと通知される。登録された携帯機器とは、例えば、登下校中の児童の保護者の携帯電話機である。
【００４６】
以上説明したように、セルラー方式のネットワークと、短距離方式のネットワークとを、携帯機器１００−６の状況に応じて切り替えることで、二つのネットワークに重複して接続することによる情報の混乱を防ぐことができる。よって、ネットワークの接続可能距離に応じて、携帯機器１００−６を所持する者の現在の状況を、登録した携帯機器に通知することができる。
【００４７】
次に、図１０を参照して、本発明の携帯機器の実施形態を説明する。図１０は、本発明の携帯機器の構成の概略図である。図１０に示すように、図８に説明した通りの構成に加えて、さらに、測位した位置の情報をセルラー通信接続部１１−７に出力してセルラー通信接続部１１−７から特定の基地局へ送信する測位部１５−３と、接続状況が、特定の基地局から圏外になった場合は、位置を測位する周期を長く設定し、特定の基地局と接続した場合は、位置を測位する周期を短く設定する周期制御部１６−２とを備えてもよい。測位部１５−３は、携帯機器１００−７に搭載され、まず、携帯機器１００−７の現在位置を測位する。例えばＧＰＳの受信機である。そして、測位した位置を、セルラー通信接続部１１−７に出力する。セルラー通信接続部１１−７は、特定の基地局へ、位置の情報を送信する。周期制御部１６−２は、携帯機器１００−７に搭載され、測位部１５−３が、現在位置を測位する周期を制御する。例えば、タイマーである。
【００４８】
ここで、携帯機器１００−７の現在の位置の情報と、すでに送信されている携帯機器１００−７のセルラー方式のネットワークへの接続状況とを併せて参照することで、携帯機器１００−７の所持者である児童の状況を推測することができる。例えば、学校内に設置されたセルラー方式の小型基地局から圏外となった携帯機器１００−７の場合は、携帯機器１００−７の所持者である児童が、登下校中であると推測できる。そして、現在位置を位置の情報で確認することで、学校と自宅との間のどの位置に携帯機器１００−７の所持者である児童がいるのか推測することができる。ここで、周期制御部１６−２は、携帯機器１００−７の現在位置が、学校又は自宅から遠い場合、安全性は低いため、測位部１５−３の測位する周期を速く設定する。逆に、携帯機器１００−７の現在位置が、学校又は自宅から近い場合、安全性は高いため、測位部１５−３の測位する周期を遅く設定する。なお、測位部１５−３の周期を最短にして携帯機器１００−７をトレースすることも可能だが、消費電力の大きさから現実的ではない。これらの状況は、セルラー方式の基地局から、登録された携帯機器へと通知される。登録された携帯機器とは、例えば、登下校中の児童の保護者の携帯電話機である。
【００４９】
以上説明したように、携帯機器１００−７の位置を測位する周期を制御することで、安全性に配慮した位置の情報の提供と、省電力を両立することができる。よって、ネットワークの接続可能距離に応じて、携帯機器１００−７を所持する者の現在の状況を、登録した携帯機器に通知することができる。
【００５０】
なお、周期制御部１６−２は、周期の繰り返し回数が一定回数を越えると、登録された携帯機器１００−７に繰り返し回数が一定回数を超えたことを通知してもよい。携帯機器１００−７の所持者である児童が一定時間内に学校又は自宅に到着しない事態を早急に知ることができる。
【００５１】
次に、図１１を参照して、本発明の基地局の実施形態を説明する。図１１は、本発明の基地局の構成の概略図である。図１１に示すように、セルラー方式の通信を行う携帯機器を接続するセルラー通信構成部２１−４と、携帯機器の接続状況をセルラー通信構成部２１−４から取得して、携帯機器からセルラー通信構成部２１−４へ受信するセルラー通信受信部２２−４とを備える。セルラー通信構成部２１−４は、セルラー方式を採用する基地局１０９−５に搭載され、同じ通信方式を採用する携帯機器と接続することで、セルラー方式を採用する携帯機器のネットワークを構成することができる。セルラー通信受信部２２−４は、個々の基地局１０９−５に搭載され、携帯機器がセルラー方式のネットワークに接続されているか否かを示す接続状況を、セルラー通信構成部２１−４から取得する。セルラー通信構成部２１−４から、現在の携帯機器の接続状況を取得することで、現在の携帯機器の状況が推測できる。例えば、学校内等に配置された小型基地局へ接続していることが分かれば、携帯機器の所持者の児童は学校内にいることが分かる。しかし、小型基地局へ接続していない場合は登下校中であると推測され、この場合は携帯機器に搭載された短距離方式のネットワークを参照することで、携帯機器の所持者の児童の居場所、状況を推測することができる。これらの接続状況は、セルラー方式の基地局１０９−５から、登録された携帯機器へと通知される。登録された携帯機器とは、例えば、登下校中の児童の保護者の携帯電話機である。
【００５２】
以上説明したように、ネットワークの接続可能距離に応じて、携帯機器を所持する者の現在の状況を、登録した携帯機器に通知することができる。
【００５３】
次に、図１２を参照して、本発明の基地局の実施形態を説明する。図１２は、本発明の基地局の構成を示す概略図である。図１２に示すように、図１１に説明した通りの構成に加えて、さらに、セルラー通信受信部２２−４から得た特定の携帯機器の状況を判断するセルラー通信判断部２３−２と、接続状況が、セルラー通信判断部２３−２によって特定の携帯機器が圏外と判断された場合は、セルラー通信構成部２１−５をＯＦＦに、セルラー通信判断部２３−２よって特定の携帯機器と接続したと判断された場合は、セルラー通信構成部２１−５をＯＮにするセルラー通信制御部２４−２とを備えてもよい。セルラー通信判断部２３−２は、基地局１０９−６に搭載され、特定の携帯機器の接続状況について、セルラー方式を採用する特定の基地局１０９−６に携帯機器が接続されているか否かを判断する。セルラー通信制御部２４−２は、セルラー通信構成部２１−５をＯＮ又はＯＦＦにする。すなわち、セルラー方式のネットワークを切断する。常時セルラー方式のネットワークを構成している必要がない場合にはＯＦＦとして、携帯機器が、セルラー方式及び短距離方式の、二つのネットワークに重複して接続することによる情報の混乱を防ぐことができる。
【００５４】
例えば、学校内に設置されたセルラー方式の小型基地局から圏外となった携帯機器の場合は、携帯機器の所持者である児童が、登下校中であると推測できるため、セルラー通信制御部２４−２は、セルラー通信構成部２１−５をＯＦＦとする。逆に、学校内に設置されたセルラー方式の小型基地局に接続されている携帯機器の場合は、携帯機器の所持者である児童が、学校内にいると推測できるため、セルラー通信制御部２４−２は、セルラー通信構成部２１−５をＯＮとする。これらの接続状況は、セルラー方式の基地局１０９−６から、登録された携帯機器へと通知される。登録された携帯機器とは、例えば、登下校中の児童の保護者の携帯電話機である。
【００５５】
以上説明したように、セルラー方式のネットワークと、短距離方式のネットワークとを、基地局１０９−６が、携帯機器の状況に応じて切り替えることで、二つのネットワークに重複して接続することによる情報の混乱を防ぐことができる。よって、ネットワークの接続可能距離に応じて、携帯機器を所持する者の現在の状況を、登録した携帯機器に通知することができる。
【００５６】
次に、図１３を参照して、本発明の基地局の実施形態を説明する。図１３は、本発明の基地局の構成の概略図である。図１３に示すように、図１１に説明した通りの構成に加えて、さらに、セルラー通信受信部２２−６から得た特定の携帯機器の位置の情報を一定の周期で受信する位置情報受信部２５−２と、接続状況が、位置情報受信部２５−２によって特定の携帯機器について圏外と判断された場合は、周期を長く設定し、位置情報受信部２５−２によって特定の携帯機器について接続したと判断された場合は、周期を短く設定するセルラー周期制御部２６−２とを備えてもよい。位置情報受信部２５−２は、基地局１０９−７に搭載され、携帯機器から送信された携帯機器の現在の位置の情報を取得する。そして、受信した位置の情報から、携帯機器の現在位置を把握する。セルラー周期制御部２６−２は、位置情報受信部２５−２が位置の情報を取得する周期を制御する。
【００５７】
ここで、携帯機器の現在の位置の情報と、すでに取得している携帯機器のセルラー方式のネットワークへの接続状況とを併せて参照することで、携帯機器の所持者である児童の状況を推測することができる。例えば、学校内に設置されたセルラー方式の小型基地局から圏外となった携帯機器の場合は、携帯機器の所持者である児童が、登下校中であると推測できる。そして、現在位置を位置の情報で確認することで、学校と自宅との間のどの位置に携帯機器の所持者である児童がいるのか推測することができる。ここで、セルラー周期制御部２６−２は、携帯機器の現在位置が、学校又は自宅から遠い場合、安全性は低いため、位置情報受信部２５−２が位置の情報を取得する周期を速く設定する。逆に、携帯機器の現在位置が、学校又は自宅から近い場合、安全性は高いため、位置情報受信部２５−２が位置の情報を取得する周期を遅く設定する。なお、位置情報受信部２５−２の周期を最短にして携帯機器をトレースすることも可能だが、消費電力の大きさから現実的ではない。これらの状況は、セルラー方式の基地局１０９−７から、登録された携帯機器へと通知される。登録された携帯機器とは、例えば、登下校中の児童の保護者の携帯電話機である。
【００５８】
以上説明したように、携帯機器の位置を測位する周期を制御することで、安全性に配慮した位置の情報の提供と、省電力を両立することができる。よって、ネットワークの接続可能距離に応じて、携帯機器を所持する者の現在の状況を、登録した携帯機器に通知することができる。
【００５９】
なお、セルラー周期制御部２６−２は、周期の繰り返し回数が一定回数を越えると、登録された携帯機器に繰り返し回数が一定回数を超えたことを通知してもよい。携帯機器の所持者である児童が一定時間内に学校又は自宅に到着しない事態を早急に知ることができる。
【００６０】
次に、図１４を参照して、本発明の携帯機器の制御方法の実施形態を説明する。図１４は、本発明の携帯機器の制御方法を示すフローチャートである。図１４に示すように、まず、セルラー通信接続手順Ｐ１１−４において、セルラー方式の通信ネットワークの基地局へ接続する。これにより、携帯機器はセルラー方式の通信ネットワークに参加する。そして、セルラー通信送信手順Ｐ１２−４において、基地局への接続状況を、基地局へ送信する。携帯機器から基地局へ、現在の携帯機器の接続状況を送信することで、現在の携帯機器の状況が推測できる。例えば、学校内等に配置された小型基地局へ接続していることが分かれば、携帯機器の所持者の児童は学校内にいることが分かる。しかし、小型基地局へ接続していない場合は登下校中であると推測され、この場合は携帯機器に搭載された短距離方式のネットワークを参照することで、携帯機器の所持者の児童の居場所、状況を推測することができる。これらの接続状況は、セルラー方式の基地局から、登録された携帯機器へと通知される。登録された携帯機器とは、例えば、登下校中の児童の保護者の携帯電話機である。
【００６１】
以上説明したように、ネットワークの接続可能距離に応じて、携帯機器を所持する者の現在の状況を、登録した携帯機器に通知することができる。
【００６２】
次に、図１５を参照して、本発明の携帯機器の制御方法の実施形態を説明する。図１５は、本発明の携帯機器の制御方法を示すフローチャートである。図１５に示すように、図１４に説明した通りの手順に加えて、さらに、セルラー通信送信手順の後に、短距離通信制御手順Ｐ１４−２において、接続状況が、特定の基地局から圏外になった場合は、短距離方式の通信ネットワークに接続し、特定の基地局と接続した場合は、短距離方式の通信ネットワークを切断してもよい。短距離通信制御手順Ｐ１４−２において、短距離通信をＯＮ又はＯＦＦにする。常時短距離方式のネットワークに接続している必要がない場合にはＯＦＦとして、セルラー方式と、短距離方式と、二つのネットワークに重複して接続することによる情報の混乱を防ぐことができる。例えば、学校内に設置されたセルラー方式の小型基地局から圏外となった携帯機器の場合は、携帯機器の所持者である児童が、登下校中であると推測できるため、短距離通信制御手順Ｐ１４−２において、短距離通信をＯＮとする。逆に、学校内に設置されたセルラー方式の小型基地局に接続されている携帯機器の場合は、携帯機器の所持者である児童が、学校内にいると推測できるため、短距離通信制御手順Ｐ１４−２は、短距離通信をＯＦＦとする。これらの接続状況は、セルラー方式の基地局から、登録された携帯機器へと通知される。登録された携帯機器とは、例えば、登下校中の児童の保護者の携帯電話機である。
【００６３】
以上説明したように、セルラー方式のネットワークと、短距離方式のネットワークとを、携帯機器の状況に応じて切り替えることで、二つのネットワークに重複して接続することによる情報の混乱を防ぐことができる。よって、ネットワークの接続可能距離に応じて、携帯機器を所持する者の現在の状況を、登録した携帯機器に通知することができる。
【００６４】
次に、図１６を参照して、本発明の携帯機器の制御方法の実施形態を説明する。図１６は、本発明の携帯機器の制御方法を示すフローチャートである。図１６に示すように、図１４に説明した通りの手順に加えて、さらに、セルラー通信送信手順Ｐ１２−６の後に、周期制御手順Ｐ１６−２において、接続状況が、特定の基地局から圏外になった場合は、位置を測位する周期を長く設定し、特定の基地局と接続した場合は、位置を測位する周期を短く設定してもよい。
【００６５】
ここで、携帯機器の現在の位置の情報と、すでに送信されている携帯機器のセルラー方式のネットワークへの接続状況とを併せて参照することで、携帯機器の所持者である児童の状況を推測することができる。例えば、学校内に設置されたセルラー方式の小型基地局から圏外となった携帯機器の場合は、携帯機器の所持者である児童が、登下校中であると推測できる。そして、現在位置を位置の情報で確認することで、学校と自宅との間のどの位置に携帯機器の所持者である児童がいるのか推測することができる。ここで、周期制御手順Ｐ１６−２は、携帯機器の現在位置が、学校又は自宅から遠い場合、安全性は低いため、位置を測位する周期を速く設定する。逆に、携帯機器の現在位置が、学校又は自宅から近い場合、安全性は高いため、位置を測位する周期を遅く設定する。なお、位置を測位する周期を最短にして携帯機器をトレースすることも可能だが、消費電力の大きさから現実的ではない。これらの状況は、セルラー方式の基地局から、登録された携帯機器へと通知される。登録された携帯機器とは、例えば、登下校中の児童の保護者の携帯電話機である。
【００６６】
以上説明したように、携帯機器の位置を測位する周期を制御することで、安全性に配慮した位置の情報の提供と、省電力を両立することができる。よって、ネットワークの接続可能距離に応じて、携帯機器を所持する者の現在の状況を、登録した携帯機器に通知することができる。
【００６７】
また、周期制御手順Ｐ１６−２において、周期の繰り返し回数が一定回数を超えると、登録された携帯機器に繰り返し回数が一定回数を超えたことを通知してもよい。携帯機器の所持者である児童が一定時間内に学校又は自宅に到着しない事態を早急に知ることができる。
【００６８】
次に、図１７を参照して、本発明の基地局の制御方法の実施形態を説明する。図１７は、本発明の基地局の制御方法を示すフローチャートである。図１７に示すように、本発明の基地局の制御方法は、セルラー通信構成手順Ｐ２１−４において、セルラー方式の通信を行う携帯機器を接続する。これにより、携帯機器はセルラー方式の通信ネットワークに参加する。そして、セルラー通信受信手順Ｐ２２−４において、携帯機器の接続状況を、携帯機器から受信する。セルラー通信受信手順Ｐ２２−４において、現在の携帯機器の接続状況を取得することで、現在の携帯機器の状況が推測できる。例えば、学校内等に配置された小型基地局へ接続していることが分かれば、携帯機器の所持者の児童は学校内にいることが分かる。しかし、小型基地局へ接続していない場合は登下校中であると推測され、この場合は携帯機器に搭載された短距離方式のネットワークを参照することで、携帯機器の所持者の児童の居場所、状況を推測することができる。これらの接続状況は、セルラー方式の基地局から、登録された携帯機器へと通知される。登録された携帯機器とは、例えば、登下校中の児童の保護者の携帯電話機である。
【００６９】
以上説明したように、ネットワークの接続可能距離に応じて、携帯機器を所持する者の現在の状況を、登録した携帯機器に通知することができる。
【００７０】
次に、図１８を参照して、本発明の基地局の制御方法の実施形態を説明する。図１８は、本発明の基地局の制御方法を示すフローチャートである。図１８に示すように、図１７に説明した通りの手順に加えて、さらに、セルラー通信受信手順Ｐ２２−５の後に、セルラー通信判断手順Ｐ２３−２において、セルラー通信受信手順Ｐ２２−５において得た特定の携帯機器の状況を判断する。そして、セルラー通信制御手順Ｐ２４−２において、接続状況が、セルラー通信判断手順Ｐ２３−２において特定の携帯機器が圏外と判断された場合は、セルラー通信構成手順Ｐ２１−５において携帯機器を切断し、セルラー通信判断手順Ｐ２３−２において特定の携帯機器と接続したと判断された場合は、セルラー通信構成手順Ｐ２１−５において、携帯機器と接続してもよい。常時セルラー方式のネットワークを構成している必要がない場合にはＯＦＦとして、携帯機器が、セルラー方式と、短距離方式と、二つのネットワークに重複して接続することによる情報の混乱を防ぐことができる。
【００７１】
例えば、学校内に設置されたセルラー方式の小型基地局から圏外となった携帯機器の場合は、携帯機器の所持者である児童が、登下校中であると推測できるため、セルラー通信制御手順Ｐ２４−２は、セルラー通信をＯＦＦとする。逆に、学校内に設置されたセルラー方式の小型基地局に接続されている携帯機器の場合は、携帯機器の所持者である児童が、学校内にいると推測できるため、セルラー通信制御手順Ｐ２４−２において、セルラー通信をＯＮとする。これらの接続状況は、セルラー方式の基地局から、登録された携帯機器へと通知される。登録された携帯機器とは、例えば、登下校中の児童の保護者の携帯電話機である。
【００７２】
以上説明したように、セルラー方式のネットワークと、短距離方式のネットワークとを、基地局が、携帯機器の状況に応じて切り替えることで、二つのネットワークに重複して接続することによる情報の混乱を防ぐことができる。よって、ネットワークの接続可能距離に応じて、携帯機器を所持する者の現在の状況を、登録した携帯機器に通知することができる。
【００７３】
次に、図１９を参照して、本発明の基地局の制御方法の実施形態を説明する。図１９は、本発明の基地局の制御方法を示すフローチャートである。図１９に示すように、図１７に説明した通りの手順に加えて、さらに、セルラー通信受信手順Ｐ２２−６の後に、位置情報受信手順Ｐ２５−２において、セルラー通信受信手順Ｐ２２−６から得た特定の携帯機器の位置の情報を一定の周期で受信する。そして、接続又は圏外を判断すると、セルラー周期制御手順Ｐ２６−２において、接続状況が、位置情報受信手順Ｐ２５−２において特定の携帯機器について圏外と判断された場合は、周期を長く設定してもよい。また、位置情報受信手順Ｐ２５−２において特定の携帯機器について接続したと判断された場合は、周期を短く設定してもよい。
【００７４】
ここで、携帯機器の現在の位置の情報と、すでに取得している携帯機器のセルラー方式のネットワークへの接続状況とを併せて参照することで、携帯機器の所持者である児童の状況を推測することができる。例えば、学校内に設置されたセルラー方式の小型基地局から圏外となった携帯機器の場合は、携帯機器の所持者である児童が、登下校中であると推測できる。そして、現在位置を位置の情報で確認することで、学校と自宅との間のどの位置に携帯機器の所持者である児童がいるのか推測することができる。ここで、セルラー周期制御手順Ｐ２６−２は、携帯機器の現在位置が学校又は自宅から遠い場合、安全性は低いため、位置情報受信手順Ｐ２５−２において位置の情報を取得する周期を速く設定する。逆に、携帯機器の現在位置が、学校又は自宅から近い場合、安全性は高いため、位置情報受信手順Ｐ２５−２において位置の情報を取得する周期を遅く設定する。なお、位置情報受信手順Ｐ２５−２の周期を最短にして携帯機器をトレースすることも可能だが、消費電力の大きさから現実的ではない。これらの状況は、セルラー方式の基地局から、登録された携帯機器へと通知される。登録された携帯機器とは、例えば、登下校中の児童の保護者の携帯電話機である。
【００７５】
以上説明したように、携帯機器の位置を測位する周期を制御することで、安全性に配慮した位置の情報の提供と、省電力を両立することができる。よって、ネットワークの接続可能距離に応じて、携帯機器を所持する者の現在の状況を、登録した携帯機器に通知することができる。
【００７６】
また、セルラー周期制御手順Ｐ２６−２において、周期の繰り返し回数が一定回数を超えると、登録された携帯機器に繰り返し回数が一定回数を超えたことを通知してもよい。携帯機器の所持者である児童が一定時間内に学校又は自宅に到着しない事態を早急に知ることができる。
【００７７】
次に、図２０を参照して、本発明の携帯機器の制御プログラムの実施形態を説明する。図２０は、本発明の携帯機器の制御プログラムを示すフローチャートである。図２０に示すように、まず、セルラー通信接続ステップＳ１１−１において、セルラー方式の通信ネットワークの基地局へ接続する。これにより、携帯機器はセルラー方式の通信ネットワークに参加する。そして、セルラー通信送信ステップＳ１２−１において、基地局への接続状況を、基地局へ送信する。携帯機器から基地局へ、現在の携帯機器の接続状況を送信することで、現在の携帯機器の状況が推測できる。例えば、学校内等に配置された小型基地局へ接続していることが分かれば、携帯機器の所持者の児童は学校内にいることが分かる。しかし、小型基地局へ接続していない場合は登下校中であると推測され、この場合は携帯機器に搭載された短距離方式のネットワークを参照することで、携帯機器の所持者の児童の居場所、状況を推測することができる。これらの接続状況は、セルラー方式の基地局から、登録された携帯機器へと通知される。登録された携帯機器とは、例えば、登下校中の児童の保護者の携帯電話機である。
【００７８】
以上説明したように、ネットワークの接続可能距離に応じて、携帯機器を所持する者の現在の状況を、登録した携帯機器に通知することができる。
【００７９】
次に、図２１を参照して、本発明の携帯機器の制御プログラムの実施形態を説明する。図２１は、本発明の携帯機器の制御プログラムを示すフローチャートである。図２１に示すように、図２０に説明した通りのステップに加えて、さらに、セルラー通信送信ステップの後に、短距離通信制御ステップＳ１４−１において、接続状況が、特定の基地局から圏外になった場合は、短距離方式の通信ネットワークに接続し、特定の基地局と接続した場合は、短距離方式の通信ネットワークを切断してもよい。短距離通信制御ステップＳ１４−１において、短距離通信をＯＮ又はＯＦＦにする。常時短距離方式のネットワークに接続している必要がない場合にはＯＦＦとして、セルラー方式と、短距離方式と、二つのネットワークに重複して接続することによる情報の混乱を防ぐことができる。例えば、学校内に設置されたセルラー方式の小型基地局から圏外となった携帯機器の場合は、携帯機器の所持者である児童が、登下校中であると推測できるため、短距離通信制御ステップＳ１４−１において、短距離通信をＯＮとする。逆に、学校内に設置されたセルラー方式の小型基地局に接続されている携帯機器の場合は、携帯機器の所持者である児童が、学校内にいると推測できるため、短距離通信制御ステップＳ１４−１は、短距離通信をＯＦＦとする。これらの接続状況は、セルラー方式の基地局から、登録された携帯機器へと通知される。登録された携帯機器とは、例えば、登下校中の児童の保護者の携帯電話機である。
【００８０】
以上説明したように、セルラー方式のネットワークと、短距離方式のネットワークとを、携帯機器の状況に応じて切り替えることで、二つのネットワークに重複して接続することによる情報の混乱を防ぐことができる。よって、ネットワークの接続可能距離に応じて、携帯機器を所持する者の現在の状況を、登録した携帯機器に通知することができる。
【００８１】
次に、図２２を参照して、本発明の携帯機器の制御プログラムの実施形態を説明する。図２２は、本発明の携帯機器の制御プログラムを示すフローチャートである。図２２に示すように、図２０に説明した通りのステップに加えて、さらに、セルラー通信送信ステップＳ１２−３の後に、周期制御ステップＳ１６−１において、接続状況が、特定の基地局から圏外になった場合は、位置を測位する周期を長く設定し、特定の基地局と接続した場合は、位置を測位する周期を短く設定してもよい。
【００８２】
ここで、携帯機器の現在の位置の情報と、すでに送信されている携帯機器のセルラー方式のネットワークへの接続状況とを併せて参照することで、携帯機器の所持者である児童の状況を推測することができる。例えば、学校内に設置されたセルラー方式の小型基地局から圏外となった携帯機器の場合は、携帯機器の所持者である児童が、登下校中であると推測できる。そして、現在位置を位置の情報で確認することで、学校と自宅との間のどの位置に携帯機器の所持者である児童がいるのか推測することができる。ここで、周期制御ステップＳ１６−１は、携帯機器の現在位置が、学校又は自宅から遠い場合、安全性は低いため、位置を測位する周期を速く設定する。逆に、携帯機器の現在位置が、学校又は自宅から近い場合、安全性は高いため、位置を測位する周期を遅く設定する。なお、位置を測位する周期を最短にして携帯機器をトレースすることも可能だが、消費電力の大きさから現実的ではない。これらの状況は、セルラー方式の基地局から、登録された携帯機器へと通知される。登録された携帯機器とは、例えば、登下校中の児童の保護者の携帯電話機である。
【００８３】
以上説明したように、携帯機器の位置を測位する周期を制御することで、安全性に配慮した位置の情報の提供と、省電力を両立することができる。よって、ネットワークの接続可能距離に応じて、携帯機器を所持する者の現在の状況を、登録した携帯機器に通知することができる。
【００８４】
また、周期制御ステップＳ１６−１において、周期の繰り返し回数が一定回数を超えると、登録された携帯機器に繰り返し回数が一定回数を超えたことを通知してもよい。携帯機器の所持者である児童が一定時間内に学校又は自宅に到着しない事態を早急に知ることができる。
【００８５】
次に、図２３を参照して、本発明の基地局の制御プログラムの実施形態を説明する。図２３は、本発明の基地局の制御プログラムを示すフローチャートである。図２３に示すように、本発明の基地局の制御プログラムは、セルラー通信構成ステップＳ２１−１において、セルラー方式の通信を行う携帯機器を接続する。これにより、携帯機器はセルラー方式の通信ネットワークに参加する。そして、セルラー通信受信ステップＳ２２−１において、携帯機器の接続状況を、携帯機器から受信する。セルラー通信受信ステップＳ２２−１において、現在の携帯機器の接続状況を取得することで、現在の携帯機器の状況が推測できる。例えば、学校内等に配置された小型基地局へ接続していることが分かれば、携帯機器の所持者の児童は学校内にいることが分かる。しかし、小型基地局へ接続していない場合は登下校中であると推測され、この場合は携帯機器に搭載された短距離方式のネットワークを参照することで、携帯機器の所持者の児童の居場所、状況を推測することができる。これらの接続状況は、セルラー方式の基地局から、登録された携帯機器へと通知される。登録された携帯機器とは、例えば、登下校中の児童の保護者の携帯電話機である。
【００８６】
以上説明したように、ネットワークの接続可能距離に応じて、携帯機器を所持する者の現在の状況を、登録した携帯機器に通知することができる。
【００８７】
次に、図２４を参照して、本発明の基地局の制御プログラムの実施形態を説明する。図２４は、本発明の基地局の制御プログラムを示すフローチャートである。図２４に示すように、図２３に説明した通りのステップに加えて、さらに、セルラー通信受信ステップＳ２２−２の後に、セルラー通信判断ステップＳ２３−１において、セルラー通信受信ステップにおいて得た特定の携帯機器の状況を判断する。そして、セルラー通信制御ステップＳ２４−１において、接続状況が、セルラー通信判断ステップＳ２３−１において特定の携帯機器が圏外と判断された場合は、セルラー通信構成ステップＳ２１−２において携帯機器を切断し、セルラー通信判断ステップＳ２３−１において特定の携帯機器と接続したと判断された場合は、セルラー通信構成ステップＳ２１−２において、携帯機器と接続してもよい。常時セルラー方式のネットワークを構成している必要がない場合にはＯＦＦとして、携帯機器が、セルラー方式と、短距離方式と、二つのネットワークに重複して接続することによる情報の混乱を防ぐことができる。
【００８８】
例えば、学校内に設置されたセルラー方式の小型基地局から圏外となった携帯機器の場合は、携帯機器の所持者である児童が、登下校中であると推測できるため、セルラー通信制御ステップＳ２４−１は、セルラー通信をＯＦＦとする。逆に、学校内に設置されたセルラー方式の小型基地局に接続されている携帯機器の場合は、携帯機器の所持者である児童が、学校内にいると推測できるため、セルラー通信制御ステップＳ２４−１において、セルラー通信をＯＮとする。これらの接続状況は、セルラー方式の基地局から、登録された携帯機器へと通知される。登録された携帯機器とは、例えば、登下校中の児童の保護者の携帯電話機である。
【００８９】
以上説明したように、セルラー方式のネットワークと、短距離方式のネットワークとを、基地局が、携帯機器の状況に応じて切り替えることで、二つのネットワークに重複して接続することによる情報の混乱を防ぐことができる。よって、ネットワークの接続可能距離に応じて、携帯機器を所持する者の現在の状況を、登録した携帯機器に通知することができる。
【００９０】
次に、図２５を参照して、本発明の基地局の制御プログラムの実施形態を説明する。図２５は、本発明の基地局の制御プログラムを示すフローチャートである。図２５に示すように、図２３に説明した通りのステップに加えて、セルラー通信受信ステップＳ２２−３の後に、さらに、位置情報受信ステップＳ２５−１において、セルラー通信受信ステップＳ２２−３から得た特定の携帯機器の位置の情報を一定の周期で受信する。そして、接続又は圏外を判断すると、セルラー周期制御ステップＳ２６−１において、接続状況が、位置情報受信ステップＳ２５−１において特定の携帯機器について圏外と判断された場合は、周期を長く設定してもよい。また、位置情報受信ステップＳ２５−１において特定の携帯機器について接続したと判断された場合は、周期を短く設定してもよい。
【００９１】
ここで、携帯機器の現在の位置の情報と、すでに取得している携帯機器のセルラー方式のネットワークへの接続状況とを併せて参照することで、携帯機器の所持者である児童の状況を推測することができる。例えば、学校内に設置されたセルラー方式の小型基地局から圏外となった携帯機器の場合は、携帯機器の所持者である児童が、登下校中であると推測できる。そして、現在位置を位置の情報で確認することで、学校と自宅との間のどの位置に携帯機器の所持者である児童がいるのか推測することができる。ここで、セルラー周期制御ステップＳ２６−１は、携帯機器の現在位置が学校又は自宅から遠い場合、安全性は低いため、位置情報受信ステップＳ２５−１において位置の情報を取得する周期を速く設定する。逆に、携帯機器の現在位置が、学校又は自宅から近い場合、安全性は高いため、位置情報受信ステップＳ２５−１において位置の情報を取得する周期を遅く設定する。なお、位置情報受信ステップＳ２５−１の周期を最短にして携帯機器をトレースすることも可能だが、消費電力の大きさから現実的ではない。これらの状況は、セルラー方式の基地局から、登録された携帯機器へと通知される。登録された携帯機器とは、例えば、登下校中の児童の保護者の携帯電話機である。
【００９２】
以上説明したように、携帯機器の位置を測位する周期を制御することで、安全性に配慮した位置の情報の提供と、省電力を両立することができる。よって、ネットワークの接続可能距離に応じて、携帯機器を所持する者の現在の状況を、登録した携帯機器に通知することができる。
【００９３】
また、セルラー周期制御ステップＳ２６−１において、周期の繰り返し回数が一定回数を超えると、登録された携帯機器に繰り返し回数が一定回数を超えたことを通知してもよい。携帯機器の所持者である児童が一定時間内に学校又は自宅に到着しない事態を早急に知ることができる。
【００９４】
上記の実施形態の一部又は全部は、以下の付記のようにも記載されうるが、以下には限られない。
（付記１）
セルラー方式の通信ネットワークの基地局へ接続するセルラー通信接続部及び前記基地局への接続状況を前記セルラー通信接続部に出力して、前記セルラー通信接続部から前記基地局へ送信するセルラー通信送信部を備える携帯機器と、
セルラー方式の通信を行う携帯機器を接続するセルラー通信構成部及び前記携帯機器の接続状況を前記セルラー通信構成部から取得して、前記携帯機器から前記セルラー通信構成部へ受信するセルラー通信受信部を備える基地局と、を有する携帯機器の監視システム。
（付記２）
さらに、前記携帯機器に、短距離方式の通信ネットワークに接続する短距離通信部及び前記接続状況が、特定の基地局から圏外になった場合は、前記短距離通信部をＯＮに、前記特定の基地局と接続した場合は、前記短距離通信部をＯＦＦにする短距離通信制御部を備え、
前記基地局に、前記セルラー通信受信部から得た特定の携帯機器の状況を判断するセルラー通信判断部及び前記接続状況が、前記セルラー通信判断部によって前記特定の携帯機器が圏外と判断した場合は、前記セルラー通信構成部をＯＦＦに、前記セルラー通信判断部によって前記特定の携帯機器と接続したと判断した場合は、前記セルラー通信構成部をＯＮにするセルラー通信制御部を備えることを特徴とする付記１に記載の携帯機器の監視システム。
（付記３）
さらに、前記携帯機器に、測位した位置を特定の基地局へ送信する測位部及び前記接続状況が、特定の基地局から圏外になった場合は、前記位置を測位する周期を長く設定し、前記特定の基地局と接続した場合は、前記位置を測位する周期を短く設定する周期制御部を備え、
前記基地局に、前記セルラー通信受信部から得た特定の携帯機器の位置の情報を一定の周期で受信する位置情報受信部及び前記接続状況が、前記位置情報受信部によって前記特定の携帯機器について圏外と判断された場合は、前記周期を長く設定し、前記位置情報受信部によって前記特定の携帯機器について接続したと判断された場合は、前記周期を短く設定するセルラー周期制御部を備えることを特徴とする付記１又は２に記載の携帯機器の監視システム。
（付記４）
前記携帯機器の前記周期制御部は、前記周期の繰り返し回数が一定回数を越えると、前記基地局に登録された携帯機器に前記繰り返し回数が一定回数を超えたことを通知し、
前記基地局の前記セルラー周期制御部は、前記周期の繰り返し回数が一定回数を越えると、登録された携帯機器に前記繰り返し回数が一定回数を超えたことを通知することを特徴とする付記１から３のいずれかに記載の携帯機器の監視システム。
（付記５）
携帯機器で、セルラー方式の通信ネットワークの基地局へ接続するセルラー通信接続手順と、
前記基地局で、セルラー方式の通信を行う携帯機器を接続するセルラー通信構成手順と、
前記携帯機器で、前記基地局への接続状況を、前記基地局へ送信するセルラー通信送信手順と、
前記基地局で、前記携帯機器の接続状況を、前記携帯機器から受信するセルラー通信受信手順と、
を順に有する携帯機器の監視システムの制御方法。
（付記６）
さらに、前記携帯機器で、前記接続状況が、特定の基地局から圏外になった場合、短距離方式の通信ネットワークに接続し、前記特定の基地局と接続した場合、短距離方式の通信ネットワークを切断する短距離通信制御手順を、前記セルラー通信送信手順の後に有し、
前記基地局で、さらに、前記セルラー通信受信手順において得た特定の携帯機器の状況を判断するセルラー通信判断手順と、
前記接続状況が、前記セルラー通信判断手順において前記特定の携帯機器が圏外と判断された場合は、前記セルラー通信構成手順において前記特定の携帯機器を切断し、前記セルラー通信判断手順において前記特定の携帯機器と接続したと判断された場合は、前記セルラー通信構成手順において、前記特定の携帯機器と接続するセルラー通信制御手順とを前記セルラー通信受信手順の後に順に有することを特徴とする付記５に記載の携帯機器の監視システムの制御方法。
（付記７）
さらに、前記接続状況が、特定の基地局から圏外になった場合は、前記位置を測位する周期を長く設定し、前記特定の基地局と接続した場合は、前記位置を測位する周期を短く設定する周期制御手順を、前記セルラー通信送信手順の後に有し、
前記セルラー通信受信手順から得た特定の携帯機器の位置の情報を一定の周期で受信し、接続又は圏外を判断する位置情報受信手順と、
前記接続状況が、前記位置情報受信手順において前記特定の携帯機器について圏外と判断された場合は、前記周期を長く設定し、前記位置情報受信手順において前記特定の携帯機器について接続したと判断された場合は、前記周期を短く設定するセルラー周期制御手順とを前記セルラー通信受信手順の後に順に有することを特徴とする付記５又は６に記載の携帯機器の監視システムの制御方法。
（付記８）
前記周期制御手順において、前記周期の繰り返し回数が一定回数を超えると、登録された携帯機器に前記繰り返し回数が一定回数を超えたことを通知し、
前記セルラー周期制御手順において、前記周期の繰り返し回数が一定回数を超えると、登録された携帯機器に前記繰り返し回数が一定回数を超えたことを通知することを特徴とする付記７に記載の携帯機器の監視システムの制御方法。
（付記９）
セルラー方式の通信ネットワークの基地局へ接続するセルラー通信接続部と、
前記基地局への接続状況を前記セルラー通信接続部に出力して、前記セルラー通信接続部から前記基地局へ送信するセルラー通信送信部と、を備える携帯機器。
（付記１０）
さらに、短距離方式の通信ネットワークに接続する短距離通信部と、
前記接続状況が、特定の基地局から圏外になった場合は、前記短距離通信部をＯＮに、前記特定の基地局と接続した場合は、前記短距離通信部をＯＦＦにする短距離通信制御部と、を備えることを特徴とする付記９に記載の携帯機器。
（付記１１）
さらに、測位した位置を前記セルラー通信接続部に出力して前記セルラー通信接続部から特定の基地局へ送信する測位部と、
前記接続状況が、前記特定の基地局から圏外になった場合は、前記位置を測位する周期を長く設定し、前記特定の基地局と接続した場合は、前記位置を測位する周期を短く設定する周期制御部と、を備えることを特徴とする付記９又は１０に記載の携帯機器。
（付記１２）
前記周期制御部は、前記周期の繰り返し回数が一定回数を越えると、登録された携帯機器に前記繰り返し回数が一定回数を超えたことを通知することを特徴とする付記１１に記載の携帯機器。
（付記１３）
セルラー方式の通信を行う携帯機器を接続するセルラー通信構成部と、
前記携帯機器の接続状況を前記セルラー通信構成部から取得して、前記携帯機器から前記セルラー通信構成部へ受信するセルラー通信受信部と、を備える基地局。
（付記１４）
さらに、前記セルラー通信受信部から得た特定の携帯機器の状況を判断するセルラー通信判断部と、
前記接続状況が、前記セルラー通信判断部によって前記特定の携帯機器が圏外と判断された場合は、前記セルラー通信構成部をＯＦＦに、前記セルラー通信判断部によって前記特定の携帯機器と接続したと判断された場合は、前記セルラー通信構成部をＯＮにするセルラー通信制御部と、を備えることを特徴とする付記１３に記載の基地局。
（付記１５）
さらに、前記セルラー通信受信部から得た特定の携帯機器の位置の情報を一定の周期で受信する位置情報受信部と、
前記接続状況が、前記位置情報受信部によって前記特定の携帯機器について圏外と判断された場合は、前記周期を長く設定し、前記位置情報受信部によって前記特定の携帯機器について接続したと判断された場合は、前記周期を短く設定するセルラー周期制御部と、
を備えることを特徴とする付記１３又は１４に記載の基地局。
（付記１６）
前記セルラー周期制御部は、前記周期の繰り返し回数が一定回数を超えると、登録された携帯機器に前記繰り返し回数が一定回数を超えたことを通知することを特徴とする付記１５に記載の基地局。
（付記１７）
セルラー方式の通信ネットワークの基地局へ接続するセルラー通信接続手順と、
前記基地局への接続状況を、前記基地局へ送信するセルラー通信送信手順と、を順に有する携帯機器の制御方法。
（付記１８）
さらに、前記接続状況が、特定の基地局から圏外になった場合は、短距離方式の通信ネットワークに接続し、前記特定の基地局と接続した場合は、前記短距離方式の通信ネットワークを切断する短距離通信制御手順を、前記セルラー通信送信手順の後に有することを特徴とする付記１７に記載の携帯機器の制御方法。
（付記１９）
さらに、前記接続状況が、特定の基地局から圏外になった場合は、前記位置を測位する周期を長く設定し、前記特定の基地局と接続した場合は、前記位置を測位する周期を短く設定する周期制御手順を、前記セルラー通信送信手順の後に有することを特徴とする付記１７又は１８に記載の携帯機器の制御方法。
（付記２０）
前記周期制御手順において、前記周期の繰り返し回数が一定回数を超えると、登録された携帯機器に前記繰り返し回数が一定回数を超えたことを通知することを特徴とする付記１９に記載の携帯機器の制御方法。
（付記２１）
セルラー方式の通信を行う携帯機器を接続するセルラー通信構成手順と、
前記携帯機器の接続状況を、前記携帯機器から受信するセルラー通信受信手順と、を順に有する基地局の制御方法。
（付記２２）
さらに、前記セルラー通信受信手順において得た特定の携帯機器の状況を判断するセルラー通信判断手順と、
前記接続状況が、前記セルラー通信判断手順において前記特定の携帯機器が圏外と判断された場合は、前記セルラー通信構成手順において前記携帯機器を切断し、前記セルラー通信判断手順において前記特定の携帯機器と接続したと判断された場合は、前記セルラー通信構成手順において、前記携帯機器と接続するセルラー通信制御手順とを前記セルラー通信受信手順の後に順に有することを特徴とする付記２１に記載の基地局の制御方法。
（付記２３）
さらに、前記セルラー通信受信手順から得た特定の携帯機器の位置の情報を一定の周期で受信し、接続又は圏外を判断する位置情報受信手順と、
前記接続状況が、前記位置情報受信手順において前記特定の携帯機器について圏外と判断された場合は、前記周期を長く設定し、前記位置情報受信手順において前記特定の携帯機器について接続したと判断された場合は、前記周期を短く設定するセルラー周期制御手順とを前記セルラー通信受信手順の後に順に有することを特徴とする付記２１又は２２に記載の基地局の制御方法。
（付記２４）
前記セルラー周期制御手順において、前記周期の繰り返し回数が一定回数を超えると、登録された携帯機器に前記繰り返し回数が一定回数を超えたことを通知することを特徴とする付記２３に記載の基地局の制御方法。
（付記２５）
セルラー方式の通信ネットワークの基地局へ接続するセルラー通信接続ステップと、
前記基地局への接続状況を、前記基地局へ送信するセルラー通信送信ステップと、を順に携帯機器に実行させる携帯機器の制御プログラム。
（付記２６）
さらに、前記接続状況が、特定の基地局から圏外になった場合は、短距離方式の通信ネットワークに接続し、前記特定の基地局と接続した場合は、前記短距離方式の通信ネットワークを切断する短距離通信制御ステップを、前記セルラー通信送信ステップの後に有することを特徴とする付記２５に記載の携帯機器に実行させる携帯機器の制御プログラム。
（付記２７）
さらに、前記接続状況が、特定の基地局から圏外になった場合は、前記位置を測位する周期を長く設定し、前記特定の基地局と接続した場合は、前記位置を測位する周期を短く設定する周期制御ステップを、前記セルラー通信送信ステップの後に有することを特徴とする付記２５又は２６に記載の携帯機器に実行させる携帯機器の制御プログラム。
（付記２８）
前記周期制御ステップにおいて、前記周期の繰り返し回数が一定回数を超えると、登録された携帯機器に前記繰り返し回数が一定回数を超えたことを通知することを特徴とする付記２７に記載の携帯機器に実行させる携帯機器の制御プログラム。
（付記２９）
セルラー方式の通信を行う携帯機器を接続するセルラー通信構成ステップと、
前記携帯機器の接続状況を、前記携帯機器から受信するセルラー通信受信ステップと、を順に基地局に実行させる基地局の制御プログラム。
（付記３０）
さらに、前記セルラー通信受信ステップにおいて得た特定の携帯機器の状況を判断するセルラー通信判断ステップと、
前記接続状況が、前記セルラー通信判断ステップにおいて前記特定の携帯機器が圏外と判断された場合は、前記セルラー通信構成ステップにおいて前記携帯機器を切断し、前記セルラー通信判断ステップにおいて前記特定の携帯機器と接続したと判断された場合は、前記セルラー通信構成ステップにおいて、前記携帯機器と接続するセルラー通信制御ステップとを前記セルラー通信受信ステップの後に順に有することを特徴とする付記２９に記載の基地局に実行させる基地局の制御プログラム。
（付記３１）
さらに、前記セルラー通信受信ステップから得た特定の携帯機器の位置の情報を一定の周期で受信し、接続又は圏外を判断する位置情報受信ステップと、
前記接続状況が、前記位置情報受信ステップにおいて前記特定の携帯機器について圏外と判断された場合は、前記周期を長く設定し、前記位置情報受信ステップにおいて前記特定の携帯機器について接続したと判断された場合は、前記周期を短く設定するセルラー周期制御ステップとを前記セルラー通信受信ステップの後に順に有することを特徴とする付記２９又は３０に記載の基地局に実行させる基地局の制御プログラム。
（付記３２）
前記セルラー周期制御ステップにおいて、前記周期の繰り返し回数が一定回数を超えると、登録された携帯機器に前記繰り返し回数が一定回数を超えたことを通知することを特徴とする付記３１に記載の基地局に実行させる基地局の制御プログラム。
【符号の説明】
【００９５】
１１−１，１１−２，１１−３，１１−４，１１−５，１１−６，１１−７：セルラー通信接続部
１２−１，１２−２，１２−３，１２−４，１２−５，１２−６：セルラー通信送信部
１３−１，１３−２，１３−３：短距離通信部
１４−１，１４−２：短距離通信制御部
１５−１，１５−２，１５−３：測位部
１６−１，１６−２：周期制御部
２１−１，２１−２，２１−３，２１−４，２１−５，２１−６：セルラー通信構成部
２２−１，２２−２，２２−３，２２−４，２２−５，２２−６：セルラー通信受信部
２３−１，２３−２：セルラー通信判断部
２４−１，２４−２：セルラー通信制御部
２５−１，２５−２：位置情報受信部
２６−１，２６−２：セルラー周期制御部
１００−１，１００−２，１００−３，１００−４，１００−５，１００−６，１００−７：携帯機器
１０１：登録した携帯機器
１０２：ＧＰＳ衛星
１０３：短距離方式のネットワーク
１０４：セルラー方式のネットワーク
１０８：コアネットワーク
１０９−１，１０９−２，１０９−３，１０９−４，１０９−５，１０９−６，１０９−７：基地局
１１０：他の携帯機器
Ｐ１１−１，Ｐ１１−２，Ｐ１１−３，Ｐ１１−４，Ｐ１１−５，Ｐ１１−６：セルラー通信接続手順
Ｐ１２−１，Ｐ１２−２，Ｐ１２−３，Ｐ１２−４，Ｐ１２−５，Ｐ１２−６：セルラー通信送信手順
Ｐ１４−１，Ｐ１４−２：短距離通信制御手順
Ｐ１６−１，Ｐ１６−２：周期制御手順
Ｐ２１−１，Ｐ２１−２，Ｐ２１−３，Ｐ２１−４，Ｐ２１−５，Ｐ２１−６：セルラー通信構成手順
Ｐ２２−１，Ｐ２２−２，Ｐ２２−３，Ｐ２２−４，Ｐ２２−５，Ｐ２２−６：セルラー通信受信手順
Ｐ２３−１，Ｐ２３−２：セルラー通信判断手順
Ｐ２４−１，Ｐ２４−２：セルラー通信制御手順
Ｐ２５−１，Ｐ２５−２：位置情報受信手順
Ｐ２６−１，Ｐ２６−２：セルラー周期制御手順
Ｓ１１−１，Ｓ１１−２，Ｓ１１−３：セルラー通信接続ステップ
Ｓ１２−１，Ｓ１２−２，Ｓ１２−３：セルラー通信送信ステップ
Ｓ１４−１：短距離通信制御ステップ
Ｓ１６−１：周期制御ステップ
Ｓ２１−１，Ｓ２１−２，Ｓ２１−３：セルラー通信構成ステップ
Ｓ２２−１，Ｓ２２−２，Ｓ２２−３：セルラー通信受信ステップ
Ｓ２３−１：セルラー通信判断ステップ
Ｓ２４−１：セルラー通信制御ステップ
Ｓ２５−１：位置情報受信ステップ
Ｓ２６−１：セルラー周期制御ステップ
【図１】
0005494203.tif 000002
【図２】
0005494203.tif 000003
【図３】
0005494203.tif 000004
【図４】
0005494203.tif 000005
【図５】
0005494203.tif 000006
【図６】
0005494203.tif 000007
【図７】
0005494203.tif 000008
【図８】
0005494203.tif 000009
【図９】
0005494203.tif 000010
【図１０】
0005494203.tif 000011
【図１１】
0005494203.tif 000012
【図１２】
0005494203.tif 000013
【図１３】
0005494203.tif 000014
【図１４】
0005494203.tif 000015
【図１５】
0005494203.tif 000016
【図１６】
0005494203.tif 000017
【図１７】
0005494203.tif 000018
【図１８】
0005494203.tif 000019
【図１９】
0005494203.tif 000020
【図２０】
0005494203.tif 000021
【図２１】
0005494203.tif 000022
【図２２】
0005494203.tif 000023
【図２３】
0005494203.tif 000024
【図２４】
0005494203.tif 000025
【図２５】
0005494203.tif 000026